(57)【要約】      （修正有）【課題】インクに作用する反応液を用いて記録を行なう記録装置の生産性を高めること。【解決手段】ヘッドユニット５０と、媒体Ｍを搬送する搬送ローラー４３と、ヘッドユニットを走査するキャリッジ３２と、ノズルからインク及び反応液の少なくとも一つを媒体に記録するパス動作と、ヘッドユニットを相対移動する搬送動作とを繰り返すように、ヘッドユニット、搬送ローラー、及びキャリッジを制御する制御ユニット９０と、を備え、制御ユニットは、第１パス動作で、第１インクと第１反応液とを記録して媒体上に第１層を形成し、第２パス動作で、第１インクを記録して第１層上に第２層を形成し、第３パス動作で、第２インクと第２反応液とを記録して第２層２上に第３層を形成し、第４パス動作で、第２インクＳを記録して第３層上に第４層を形成することを特徴とする。【選択図】図１
2019166760.tif 000002
【特許請求の範囲】
【請求項１】
第１液体を記録するノズルが並んだ第１ノズル群と、第２液体を記録するノズルが並んだ第２ノズル群と、前記第１液体及び前記第２液体に作用する反応液を記録するノズルが並んだ第３ノズル群と、が前記ノズルの並び方向において重複する記録部と、
媒体を前記記録部に対して、相対的に搬送方向へ搬送する搬送部と、
前記記録部を前記媒体に対して、前記搬送方向と交差する走査方向へ相対的に走査する走査部と、
前記記録部を前記媒体に対して相対的に走査する走査動作中に、前記ノズルから前記第１液体、前記第２液体、及び前記反応液の少なくとも一つを前記媒体に記録するパス動作と、前記記録部を前記媒体に対して相対移動する搬送動作とを繰り返すように、前記記録部、前記搬送部、及び前記走査部を制御する制御部と、
を備える記録装置であって、
前記制御部は、
第１パス動作で、前記第１液体と前記反応液とを記録して前記媒体上に第１層を形成し、
前記第１パス動作より後の第２パス動作で、前記第１液体を記録して前記第１層上に第２層を形成し、
前記第２パス動作より後の第３パス動作で、前記第２液体と前記反応液とを記録して前記第２層上に第３層を形成し、
前記第３パス動作より後の第４パス動作で、前記第２液体を記録して前記第３層上に第４層を形成することを特徴とする記録装置。
【請求項２】
第１液体を記録するノズルが並んだ第１ノズル群と、第２液体を記録するノズルが並んだ第２ノズル群と、前記第１液体及び前記第２液体に作用する反応液を記録するノズルが並んだ第３ノズル群と、を有する記録部と、
媒体を前記記録部に対して、相対的に搬送方向へ搬送する搬送部と、
前記記録部を前記媒体に対して、前記搬送方向と交差する走査方向へ相対的に走査する走査部と、
前記記録部を前記媒体に対して相対的に走査する走査動作中に、前記ノズルから前記第１液体、前記第２液体、及び前記反応液の少なくとも一つを前記媒体に記録するパス動作と、前記記録部を前記媒体に対して相対移動する搬送動作とを繰り返すように、前記記録部、前記搬送部、及び前記走査部を制御する制御部と、
を備える記録装置であって、
前記記録部は、
前記第１ノズル群及び前記第３ノズル群が前記ノズルの並び方向において重複する重複部と、
前記重複部より前記搬送方向の上流側において前記第３ノズル群が設けられた上流側非重複部と、
前記重複部より前記搬送方向の下流側において前記第２ノズル群が設けられた下流側非重複部と、
を有し、
前記制御部は、
第１パス動作で、前記上流側非重複部から前記反応液を記録して前記媒体上に第１層を形成し、
前記第１パス動作より後の第２パス動作で、前記重複部から前記第１液体及び前記反応液を記録して前記第１層上に第２層を形成し、
前記第２パス動作より後の第３パス動作で、前記下流側非重複部から前記第２液体を記録して前記第２層上に第３層を形成することを特徴とする記録装置。
【請求項３】
第１液体を記録するノズルが並んだ第１ノズル群と、第２液体を記録するノズルが並んだ第２ノズル群と、前記第１液体及び前記第２液体に作用する反応液を記録するノズルが並んだ第３ノズル群と、を有する記録部と、
媒体を前記記録部に対して、相対的に搬送方向へ搬送する搬送部と、
前記記録部を前記媒体に対して、前記搬送方向と交差する走査方向へ相対的に走査する走査部と、
前記記録部を前記媒体に対して相対的に走査する走査動作中に、前記ノズルから前記第１液体、前記第２液体、及び前記反応液の少なくとも一つを前記媒体に記録するパス動作と、前記記録部を前記媒体に対して相対移動する搬送動作とを繰り返すように、前記記録部、前記搬送部、及び前記走査部を制御する制御部と、
を備える記録装置であって、
前記記録部は、
前記第３ノズル群が前記第１ノズル群または前記第２ノズル群と前記ノズルの並び方向において重複する重複部と、
前記重複部より前記搬送方向の下流側において前記第１ノズル群または前記第２ノズル群が設けられた非重複部と、
を有し、
前記制御部は、
第１パス動作で、前記重複部から前記第２液体及び前記反応液を記録して前記媒体上に第１層を形成し、
前記第１パス動作より後の第２パス動作で、前記非重複部から前記第２液体を記録して前記第１層上に第２層を形成し、
前記第２パス動作より後の第３パス動作で、前記重複部から前記第１液体及び前記反応液を記録して前記第２層上に第３層を形成し、
前記第３パス動作より後の第４パス動作で、前記非重複部から前記第１液体を記録して前記第３層上に第４層を形成し、
前記第４パス動作より後の第５パス動作で、前記非重複部から前記第２液体を記録して前記第４層上に第５層を形成することを特徴とする記録装置。
【請求項４】
前記第１液体は白インクであり、
前記第２液体はカラーインクであることを特徴とする請求項１乃至３の何れか一項に記載の記録装置。
【請求項５】
第１液体を記録するノズルが並んだ第１ノズル群と、第２液体を記録するノズルが並んだ第２ノズル群と、前記第１液体及び前記第２液体に作用する反応液を記録するノズルが並んだ第３ノズル群と、が前記ノズルの並び方向において重複する記録部と、
媒体を前記記録部に対して、相対的に搬送方向へ搬送する搬送部と、
前記記録部を前記媒体に対して、前記搬送方向と交差する走査方向へ相対的に走査する走査部と、を備え、
前記記録部を前記媒体に対して相対的に走査する走査動作中に、前記ノズルから前記第１液体、前記第２液体、及び前記反応液の少なくとも一つを前記媒体に記録するパス動作と、前記記録部を前記媒体に対して相対移動する搬送動作とを繰り返すことで記録を行う記録装置の記録方法であって、
第１パス動作で、前記第１液体と前記反応液とを記録して前記媒体上に第１層を形成する工程と、
前記第１パス動作より後の第２パス動作で、前記第１液体を記録して前記第１層上に第２層を形成する工程と、
前記第２パス動作より後の第３パス動作で、前記第２液体と前記反応液とを記録して前記第２層上に第３層を形成する工程と、
前記第３パス動作より後の第４パス動作で、前記第２液体を記録して前記第３層上に第４層を形成する工程と、
を備えることを特徴とする記録装置の記録方法。
【請求項６】
第１液体を記録するノズルが並んだ第１ノズル群と、第２液体を記録するノズルが並んだ第２ノズル群と、前記第１液体及び前記第２液体に作用する反応液を記録するノズルが並んだ第３ノズル群と、を有する記録部と、
媒体を前記記録部に対して、相対的に搬送方向へ搬送する搬送部と、
前記記録部を前記媒体に対して、前記搬送方向と交差する走査方向へ相対的に走査する走査部と、
を備え、
前記記録部は、
前記第１ノズル群及び前記第３ノズル群が前記ノズルの並び方向において重複する重複部と、
前記重複部より前記搬送方向の上流側において前記第３ノズル群が設けられた上流側非重複部と、
前記重複部より前記搬送方向の下流側において前記第２ノズル群が設けられた下流側非重複部と、
を有し、
前記記録部を前記媒体に対して相対的に走査する走査動作中に、前記ノズルから前記第１液体、前記第２液体、及び前記反応液の少なくとも一つを前記媒体に記録するパス動作と、前記記録部を前記媒体に対して相対移動する搬送動作とを繰り返すことで記録を行う記録装置の記録方法であって、
第１パス動作で、前記上流側非重複部から前記反応液を記録して前記媒体上に第１層を形成する工程と、
前記第１パス動作より後の第２パス動作で、前記重複部から前記第１液体及び前記反応液を記録して前記第１層上に第２層を形成する工程と、
前記第２パス動作より後の第３パス動作で、前記下流側非重複部から前記第２液体を記録して前記第２層上に第３層を形成する工程と、
を備えることを特徴とする記録装置の記録方法。
【請求項７】
第１液体を記録するノズルが並んだ第１ノズル群と、第２液体を記録するノズルが並んだ第２ノズル群と、前記第１液体及び前記第２液体に作用する反応液を記録するノズルが並んだ第３ノズル群と、を有する記録部と、
媒体を前記記録部に対して、相対的に搬送方向へ搬送する搬送部と、
前記記録部を前記媒体に対して、前記搬送方向と交差する走査方向へ相対的に走査する走査部と、
を備え、
前記記録部は、
前記第３ノズル群が前記第１ノズル群または前記第２ノズル群と前記ノズルの並び方向において重複する重複部と、
前記重複部より前記搬送方向の下流側において前記第１ノズル群または前記第２ノズル群が設けられた非重複部と、
を有し、
前記記録部を前記媒体に対して相対的に走査する走査動作中に、前記ノズルから前記第１液体、前記第２液体、及び前記反応液の少なくとも一つを前記媒体に記録するパス動作と、前記記録部を前記媒体に対して相対移動する搬送動作とを繰り返すことで記録を行う記録装置の記録方法であって、
第１パス動作で、前記重複部から前記第２液体及び前記反応液を記録して前記媒体上に第１層を形成する工程と、
前記第１パス動作より後の第２パス動作で、前記非重複部から前記第２液体を記録して前記第１層上に第２層を形成する工程と、
前記第２パス動作より後の第３パス動作で、前記重複部から前記第１液体及び前記反応液を記録して前記第２層上に第３層を形成する工程と、
前記第３パス動作より後の第４パス動作で、前記非重複部から前記第１液体を記録して前記第３層上に第４層を形成する工程と、
前記第４パス動作より後の第５パス動作で、前記非重複部から前記第２液体を記録して前記第４層上に第５層を形成する工程と、
を備えることを特徴とする記録装置の記録方法。
【発明の詳細な説明】
【技術分野】
【０００１】
本発明は、記録装置、及び当該記録装置の記録方法に関する。
【背景技術】
【０００２】
従来から、インクと共に、インクに作用する処理液（反応液）を用いて記録を行なう記録装置が知られている（特許文献１）。
特許文献１に記載のインクジェット記録装置（記録装置）は、媒体に対して反応液及びインクを記録するヘッドを備え、使用される媒体の種類を自動的に判別し、媒体の種類に応じて適切な反応液及びインクの記録を実現する記録制御が可能になっている。そして、予め媒体の表面に反応液を記録し、表面に反応液の液体分が残存している状態で、インクを着弾させる。すると、インクに含まれる色材同士の結合力が増した状態でインクが媒体に定着され、インクの滲みが抑制される。
【先行技術文献】
【特許文献】
【０００３】
【特許文献１】特開２０００−１９０４８０号公報
【発明の概要】
【発明が解決しようとする課題】
【０００４】
しかしながら、特許文献１に記載の記録装置では、インクの記録と反応液の記録とが別々に実施され、インクを記録する工程に加えて、反応液を記録する工程が新たに必要になるので、生産性が低下するという課題があった。
【課題を解決するための手段】
【０００５】
本願の記録装置は、第１液体を記録するノズルが並んだ第１ノズル群と、第２液体を記録するノズルが並んだ第２ノズル群と、前記第１液体及び前記第２液体に作用する反応液を記録するノズルが並んだ第３ノズル群と、が前記ノズルの並び方向において重複する記録部と、媒体を前記記録部に対して、相対的に搬送方向へ搬送する搬送部と、前記記録部を前記媒体に対して、前記搬送方向と交差する走査方向へ相対的に走査する走査部と、前記記録部を前記媒体に対して相対的に走査する走査動作中に、前記ノズルから前記第１液体、前記第２液体、及び前記反応液の少なくとも一つを前記媒体に記録するパス動作と、前記記録部を前記媒体に対して相対移動する搬送動作とを繰り返すように、前記記録部、前記搬送部、及び前記走査部を制御する制御部と、を備える記録装置であって、前記制御部は、第１パス動作で、前記第１液体と前記反応液とを記録して前記媒体上に第１層を形成し、前記第１パス動作より後の第２パス動作で、前記第１液体を記録して前記第１層上に第２層を形成し、前記第２パス動作より後の第３パス動作で、前記第２液体と前記反応液とを記録して前記第２層上に第３層を形成し、前記第３パス動作より後の第４パス動作で、前記第２液体を記録して前記第３層上に第４層を形成することを特徴とする。
【０００６】
本願の記録装置は、第１液体を記録するノズルが並んだ第１ノズル群と、第２液体を記録するノズルが並んだ第２ノズル群と、前記第１液体及び前記第２液体に作用する反応液を記録するノズルが並んだ第３ノズル群と、を有する記録部と、媒体を前記記録部に対して、相対的に搬送方向へ搬送する搬送部と、前記記録部を前記媒体に対して、前記搬送方向と交差する走査方向へ相対的に走査する走査部と、前記記録部を前記媒体に対して相対的に走査する走査動作中に、前記ノズルから前記第１液体、前記第２液体、及び前記反応液の少なくとも一つを前記媒体に記録するパス動作と、前記記録部を前記媒体に対して相対移動する搬送動作とを繰り返すように、前記記録部、前記搬送部、及び前記走査部を制御する制御部と、を備える記録装置であって、前記記録部は、前記第１ノズル群及び前記第３ノズル群が前記ノズルの並び方向において重複する重複部と、前記重複部より前記搬送方向の上流側において前記第３ノズル群が設けられた上流側非重複部と、前記重複部より前記搬送方向の下流側において前記第２ノズル群が設けられた下流側非重複部と、を有し、前記制御部は、第１パス動作で、前記上流側非重複部から前記反応液を記録して前記媒体上に第１層を形成し、前記第１パス動作より後の第２パス動作で、前記重複部から前記第１液体及び前記反応液を記録して前記第１層上に第２層を形成し、前記第２パス動作より後の第３パス動作で、前記下流側非重複部から前記第２液体を記録して前記第２層上に第３層を形成することを特徴とする。
【０００７】
本願の記録装置は、第１液体を記録するノズルが並んだ第１ノズル群と、第２液体を記録するノズルが並んだ第２ノズル群と、前記第１液体及び前記第２液体に作用する反応液を記録するノズルが並んだ第３ノズル群と、を有する記録部と、媒体を前記記録部に対して、相対的に搬送方向へ搬送する搬送部と、前記記録部を前記媒体に対して、前記搬送方向と交差する走査方向へ相対的に走査する走査部と、前記記録部を前記媒体に対して相対的に走査する走査動作中に、前記ノズルから前記第１液体、前記第２液体、及び前記反応液の少なくとも一つを前記媒体に記録するパス動作と、前記記録部を前記媒体に対して相対移動する搬送動作とを繰り返すように、前記記録部、前記搬送部、及び前記走査部を制御する制御部と、を備える記録装置であって、前記記録部は、前記第３ノズル群が前記第１ノズル群または前記第２ノズル群と前記ノズルの並び方向において重複する重複部と、前記重複部より前記搬送方向の下流側において前記第１ノズル群または前記第２ノズル群が設けられた非重複部と、を有し、前記制御部は、第１パス動作で、前記重複部から前記第２液体及び前記反応液を記録して前記媒体上に第１層を形成し、前記第１パス動作より後の第２パス動作で、前記非重複部から前記第２液体を記録して前記第１層上に第２層を形成し、前記第２パス動作より後の第３パス動作で、前記重複部から前記第１液体及び前記反応液を記録して前記第２層上に第３層を形成し、前記第３パス動作より後の第４パス動作で、前記非重複部から前記第１液体を記録して前記第３層上に第４層を形成し、前記第４パス動作より後の第５パス動作で、前記非重複部から前記第２液体を記録して前記第４層上に第５層を形成することを特徴とする。
【０００８】
本願の記録装置では、前記第１液体は白インクであり、前記第２液体はカラーインクであることが好ましい。
【０００９】
本願の記録装置の記録方法は、第１液体を記録するノズルが並んだ第１ノズル群と、第２液体を記録するノズルが並んだ第２ノズル群と、前記第１液体及び前記第２液体に作用する反応液を記録するノズルが並んだ第３ノズル群と、が前記ノズルの並び方向において重複する記録部と、媒体を前記記録部に対して、相対的に搬送方向へ搬送する搬送部と、前記記録部を前記媒体に対して、前記搬送方向と交差する走査方向へ相対的に走査する走査部と、を備え、前記記録部を前記媒体に対して相対的に走査する走査動作中に、前記ノズルから前記第１液体、前記第２液体、及び前記反応液の少なくとも一つを前記媒体に記録するパス動作と、前記記録部を前記媒体に対して相対移動する搬送動作とを繰り返すことで記録を行う記録装置の記録方法であって、第１パス動作で、前記第１液体と前記反応液とを記録して前記媒体上に第１層を形成する工程と、前記第１パス動作より後の第２パス動作で、前記第１液体を記録して前記第１層上に第２層を形成する工程と、前記第２パス動作より後の第３パス動作で、前記第２液体と前記反応液とを記録して前記第２層上に第３層を形成する工程と、前記第３パス動作より後の第４パス動作で、前記第２液体を記録して前記第３層上に第４層を形成する工程と、を備えることを特徴とする。
【００１０】
本願の記録装置の記録方法は、第１液体を記録するノズルが並んだ第１ノズル群と、第２液体を記録するノズルが並んだ第２ノズル群と、前記第１液体及び前記第２液体に作用する反応液を記録するノズルが並んだ第３ノズル群と、を有する記録部と、媒体を前記記録部に対して、相対的に搬送方向へ搬送する搬送部と、前記記録部を前記媒体に対して、前記搬送方向と交差する走査方向へ相対的に走査する走査部と、を備え、前記記録部は、前記第１ノズル群及び前記第３ノズル群が前記ノズルの並び方向において重複する重複部と、前記重複部より前記搬送方向の上流側において前記第３ノズル群が設けられた上流側非重複部と、前記重複部より前記搬送方向の下流側において前記第２ノズル群が設けられた下流側非重複部と、を有し、前記記録部を前記媒体に対して相対的に走査する走査動作中に、前記ノズルから前記第１液体、前記第２液体、及び前記反応液の少なくとも一つを前記媒体に記録するパス動作と、前記記録部を前記媒体に対して相対移動する搬送動作とを繰り返すことで記録を行う記録装置の記録方法であって、第１パス動作で、前記上流側非重複部から前記反応液を記録して前記媒体上に第１層を形成する工程と、前記第１パス動作より後の第２パス動作で、前記重複部から前記第１液体及び前記反応液を記録して前記第１層上に第２層を形成する工程と、前記第２パス動作より後の第３パス動作で、前記下流側非重複部から前記第２液体を記録して前記第２層上に第３層を形成する工程と、を備えることを特徴とする。
【００１１】
本願の記録装置の記録方法は、第１液体を記録するノズルが並んだ第１ノズル群と、第２液体を記録するノズルが並んだ第２ノズル群と、前記第１液体及び前記第２液体に作用する反応液を記録するノズルが並んだ第３ノズル群と、を有する記録部と、媒体を前記記録部に対して、相対的に搬送方向へ搬送する搬送部と、前記記録部を前記媒体に対して、前記搬送方向と交差する走査方向へ相対的に走査する走査部と、を備え、前記記録部は、前記第３ノズル群が前記第１ノズル群または前記第２ノズル群と前記ノズルの並び方向において重複する重複部と、前記重複部より前記搬送方向の下流側において前記第１ノズル群または前記第２ノズル群が設けられた非重複部と、を有し、前記記録部を前記媒体に対して相対的に走査する走査動作中に、前記ノズルから前記第１液体、前記第２液体、及び前記反応液の少なくとも一つを前記媒体に記録するパス動作と、前記記録部を前記媒体に対して相対移動する搬送動作とを繰り返すことで記録を行う記録装置の記録方法であって、第１パス動作で、前記重複部から前記第２液体及び前記反応液を記録して前記媒体上に第１層を形成する工程と、前記第１パス動作より後の第２パス動作で、前記非重複部から前記第２液体を記録して前記第１層上に第２層を形成する工程と、前記第２パス動作より後の第３パス動作で、前記重複部から前記第１液体及び前記反応液を記録して前記第２層上に第３層を形成する工程と、前記第３パス動作より後の第４パス動作で、前記非重複部から前記第１液体を記録して前記第３層上に第４層を形成する工程と、前記第４パス動作より後の第５パス動作で、前記非重複部から前記第２液体を記録して前記第４層上に第５層を形成する工程と、を備えることを特徴とする。
【図面の簡単な説明】
【００１２】
【図１】実施形態１に係る記録装置の概要を示す概略図。
【図２】実施形態１に係る記録装置の電気的構成を示すブロック。
【図３】ヘッドユニットが備えるノズルの配置状態を示す模式図。
【図４】記録データの生成方法を示すフロー図。
【図５】実施形態１に係る記録装置の記録方法を示す工程フロー。
【図６】実施形態１に係る記録装置の記録方法の説明図。
【図７】図５に示す主要な工程を経た後の媒体Ｍの状態を示す概略断面図。
【図８】実施形態２に係る記録装置が備えるヘッドユニットのノズルの配置状態を示す模式図。
【図９】実施形態２に係る記録装置が備えるヘッドユニットのノズルの配置状態を示す他の模式図。
【図１０】実施形態２に係る記録装置の記録方法を示す工程フロー。
【図１１】実施形態２に係る記録装置の記録方法の説明図。
【図１２】図１０に示す主要な工程を経た後の媒体Ｍの状態を示す概略断面図。
【図１３】実施形態３に係る記録装置が備えるヘッドユニットのノズルの配置状態を示す模式図。
【図１４】実施形態３に係る記録装置が備えるヘッドユニットのノズルの配置状態を示す他の模式図。
【図１５】実施形態３に係る記録装置の記録方法を示す工程フロー。
【図１６】実施形態３に係る記録装置の記録方法の説明図。
【図１７】図１５に示す主要な工程を経た後の媒体Ｍの状態を示す概略断面図。
【発明を実施するための形態】
【００１３】
以下、図面を参照して、本発明の実施形態について説明する。かかる実施形態は、本発明の一態様を示すものであり、この発明を限定するものではなく、本発明の技術的思想の範囲内で任意に変更可能である。また、以下の各図においては、各層や各部位を図面上で認識可能な程度の大きさとするため、各層や各部位の縮尺を実際とは異ならせしめてある。
【００１４】
（実施形態１）
図１は、実施形態１に係る記録装置の概要を示す概略図である。図２は、本実施形態に係る記録装置の電気的構成を示すブロック図である。図３は、ヘッドユニットが備えるノズルの配置状態を示す模式図である。
なお、図３では、媒体Ｍ側から見たヘッドユニット５０の状態が図示されている。
最初に、図１〜図３を参照し、本実施形態に係る記録装置１０の概要を説明する。
【００１５】
「記録装置の概要」
図１及び図２に示すように、本実施形態に係る記録装置１０は、外部装置であるコンピューター（ＰＣ）１１０から出力される画像データに基づき、長尺の媒体Ｍに所定の画像を記録するラージフォーマットプリンター（ＬＦＰ）である。
なお、記録装置１０は、光ディスク（ＣＤ−ＲＯＭ、ＤＶＤなど）及びメモリーカードなどの記録媒体から画像データを直接取得し、当該画像データに基づき媒体Ｍに所定の画像を記録する構成であってもよい。
【００１６】
本実施形態に係る記録装置１０は、最初に透明な媒体Ｍに対してホワイトのインクＷを記録し、透明な媒体Ｍに背景画像ＢＧ（図７参照）を記録し、次に、シアン、マゼンタ、イエロー、ブラックの４色のインクＣ，Ｍ，ＹＥ，Ｋを記録し、背景画像ＢＧの上にフルカラーの画像ＦＣ（図７参照）を記録する。なお、媒体Ｍは、透明な媒体に限定されず、不透明な媒体であってもよい。
インクＷ，Ｃ，Ｍ，ＹＥ，Ｋは、溶媒（水）と、顔料（色材）と、樹脂エマルジョン（または、樹脂微粒子）とを含む水系顔料インクである。顔料には分散処理がなされ、顔料の表面に電荷が帯電し、顔料同士が静電気によって反発し、顔料が水の中に均一に分散するようになっている。
なお、ホワイトのインク（白インク）Ｗは、「第１液体」の一例であり、以降、第１インクＦと称す場合がある。シアン、マゼンタ、イエロー、ブラックの４色のインクＣ，Ｍ，ＹＥ，Ｋは、「第２液体」及び「カラーインク」の一例であり、以降、第２インクＳと称す。
第１インクＦは、透明な媒体Ｍに白色の背景画像ＢＧを形成する。第２インクＳは、白色の背景画像ＢＧの上にフルカラーの画像ＦＣを形成する。
【００１７】
媒体Ｍは、インクＦ，Ｓが吸収されにくい材料により構成される非吸収性媒体または低吸収性媒体である。例えば、媒体Ｍの構成材料として、ポリエチレンテレフタレート、ポリプロピレン、塩化ビニルなどを使用することができる。媒体Ｍは、インクＦ，Ｓが吸収されにくい材料で構成されているので、インクＦ，Ｓは、媒体Ｍによって弾かれ、媒体Ｍに定着しにくい。
インクＦ，Ｓが媒体Ｍの表面を濡れ広がり、インクＦ，Ｓが媒体Ｍの目標位置に定着しやすくするために、反応液Ｏｐが使用されている。
【００１８】
反応液Ｏｐは、溶媒（水）と、凝集剤と、界面活性剤とを含む。凝集剤としては、顔料の凝集反応を引き起こすことが可能な多価金属塩、例えば、酢酸カルシウム、硝酸カルシウム、硫酸マグネシウムなどを使用することができる。反応液Ｏｐに含まれる凝集剤は、顔料の表面に帯電する電荷を中和し、顔料を凝集させる。反応液Ｏｐに含まれる界面活性剤は、インクＦ，Ｓの媒体Ｍに対する濡れ性を改善する。表面活性剤としては、アセチレングリコール系界面活性剤、フッ素系界面活性剤、シリコーン系界面活性剤などを使用することができる。
インクＦ，Ｓは、界面活性剤によって媒体Ｍの表面を均一に濡れ広がりやすくなる。さらに、インクＦ，Ｓに含まれる顔料は、凝集剤によって凝集して媒体Ｍの表面に沈降し、媒体Ｍの目標位置に付着しやすくなる。
【００１９】
インクＦ，Ｓが媒体Ｍに適正に定着するためには、媒体Ｍに記録されるインクＦ，Ｓに対して、適正な液量の反応液Ｏｐを作用させる必要がある。
例えば、媒体Ｍに記録されるインクＦ，Ｓの液量に対して、媒体Ｍに記録される反応液Ｏｐの液量が少なすぎる場合、界面活性剤によるインクＦ，Ｓの濡れ広がりが悪くなり、凝集剤による顔料の凝集が不均一になるという不具合が生じる。例えば、媒体Ｍに記録されるインクＦ，Ｓの液量に対して、媒体Ｍに記録される反応液Ｏｐの液量が多すぎる場合、過剰の凝集剤によって媒体Ｍに対する顔料の密着性が悪くなるという不具合が生じる、さらに、反応液Ｏｐに含まれる水分が多くなり、媒体Ｍの乾燥が長くなるという不具合も生じる。さらに、インクＦ，Ｓは、過剰の凝集剤によって媒体Ｍに対する密着性が悪くなる。
以降の説明では、第１インクＦに作用する反応液Ｏｐを第１反応液ＯＦと称し、第２インクＳに作用する反応液Ｏｐを第２反応液ＯＳと称す。なお、第１反応液ＯＦ及び第２反応液ＯＳは、共に同じ反応液Ｏｐであり、液量が異なる。すなわち、第１インクＦの液量に対して適正な液量の反応液Ｏｐが第１反応液ＯＦであり、第２インクＳの液量に対して適正な液量の反応液Ｏｐが第２反応液ＯＳである。
なお、第１インクＦに作用する第１反応液ＯＦの液量、及び第２インクＳに作用する第２反応液ＯＳの液量は、後述する色変換処理を実施する工程（ステップＳ２（図４参照））によって設定されている。
【００２０】
記録装置１０は、移動部２０と、「記録部」の一例であるヘッドユニット５０と、加熱部８と、「制御部」の一例である制御ユニット９０とを備える。
移動部２０は、媒体Ｍに画像を記録するために、媒体Ｍ及びヘッドユニット５０の移動を実行する。移動部２０は、副走査部４０と、走査部３０とを有する。副走査部４０は、媒体Ｍを図中に白抜きの矢印で示される搬送方向Ｙに搬送し、媒体Ｍをヘッドユニット５０の近傍と加熱部８の近傍とを通過させる。
副走査部４０は、繰出部４１と、支持部４２と、「搬送部」の一例である搬送ローラー４３と、巻取部４４とを有する。繰出部４１は、ロール状に巻回された記録前の媒体Ｍを、駆動モーター（図示省略）により回転させて繰り出す。支持部４２は、搬送方向Ｙに搬送される媒体Ｍを支持する。搬送ローラー４３は、ヘッドユニット５０に対して搬送方向Ｙの上流側、及びヘッドユニット５０に対して搬送方向Ｙの下流側に配置されている。
搬送ローラー４３は、駆動モーター（図示省略）により回転して、支持部４２上の媒体Ｍを搬送方向Ｙに搬送する。すなわち、搬送ローラー４３は、ヘッドユニット５０に対して、媒体Ｍを相対的に搬送方向Ｙへ搬送する。巻取部４４は、記録後の媒体Ｍを巻き取る。
【００２１】
走査部３０は、媒体Ｍに対してヘッドユニット５０を走査方向Ｘに移動させる。走査方向Ｘは、搬送方向Ｙと交差する方向である。走査部３０は、ガイド軸３１と、「走査部」の一例であるキャリッジ３２とを有する。ガイド軸３１は、２本の棒状部材で構成され、長手方向が走査方向Ｘと平行に配置されている。ガイド軸３１は、走査方向Ｘに延在し、キャリッジ３２を移動可能に支持する。
キャリッジ３２は、ヘッドユニット５０を搭載し、キャリッジモーター（図示省略）によって駆動され、ガイド軸３１に沿って走査方向Ｘに往復移動する。すなわち、キャリッジ３２は、ヘッドユニット５０を搭載し、ヘッドユニット５０を媒体Ｍに対して、搬送方向Ｙと交差する走査方向Ｘへ相対移動する。
【００２２】
ヘッドユニット５０は、媒体Ｍに対向配置され、キャリッジ３２の往復動作に伴い、走査方向Ｘに往復移動する。
記録装置１０は、ヘッドユニット５０が、インクＦ，Ｓ及び反応液ＯＦ，ＯＳの少なくとも一つを記録しながら、走査方向Ｘに移動する主走査と、媒体Ｍが搬送方向Ｙに移動する副走査とを交互に繰り返すことにより、媒体Ｍに白色の背景画像ＢＧとフルカラーの画像ＦＣとを順に記録する。また、１回の搬送動作（副走査）における媒体Ｍの移動量は、長さＬである。
換言すれば、記録装置１０は、ヘッドユニット５０を媒体Ｍに対して相対的に走査する走査動作中に、ノズルＮｚ（図３参照）からインクＦ，Ｓ及び反応液ＯＦ，ＯＳの少なくとも一つを媒体Ｍに記録するパス動作と、ヘッドユニット５０を媒体Ｍに対して相対移動する搬送動作とを繰り返す。
以降の説明では、１回の主走査を「パス動作」と称す場合がある。すなわち、本願におけるパス動作は、ヘッドユニット５０が、インクＦ，Ｓ及び反応液ＯＦ，ＯＳの少なくとも一つを記録しながら走査方向Ｘに移動することである。
【００２３】
加熱部８は、ヘッドユニット５０に対して搬送方向Ｙの下流側に配置されている。加熱部８は、ヘッドユニット５０を通過した後の媒体Ｍを加熱し、媒体Ｍ上のインクＦ，Ｓ及び反応液ＯＦ，ＯＳの溶媒成分を蒸発させ、媒体Ｍを乾燥する。さらに、加熱部８は、インクＦ，Ｓの樹脂成分を溶解させ、インクＦ，Ｓの顔料を含む樹脂層を形成し、顔料を媒体Ｍに定着させる。
加熱部８は、内部に発熱体（図示省略）を有し、加熱された空気を送風するとともに、赤外線を放射することにより媒体Ｍを加熱する。なお、加熱された空気の送風と赤外線の放射とのうちの一方を省略してもよく、他の任意の方式の加熱装置を加熱部８として用いてもよい。また、加熱部８の走査方向Ｘの長さは、媒体Ｍの走査方向Ｘの長さと一致していてもよく、媒体Ｍの走査方向Ｘの長さより長くてもよい。
【００２４】
制御ユニット９０は、記録装置１０の全体を制御する制御部である。制御ユニット９０は、インターフェイス部（Ｉ／Ｆ）９１、ＣＰＵ９２、メモリー９３などを備えている。
Ｉ／Ｆ９１は、ＰＣ１１０と記録装置１０との間でデータの送受信を行う。ＰＣ１１０と記録装置１０との間は、直接、ケーブル等で接続してもよいし、ネットワーク等を介して間接的に接続してもよい。また、無線通信を介して、ＰＣ１１０と記録装置１０との間でデータを送受信してもよい。
ＣＰＵ９２は、記録装置１０全体の制御を行うための演算処理装置である。
メモリー９３は、ＣＰＵ９２が動作するプログラムを格納する領域や動作する作業領域などを確保する記憶媒体であり、ＲＡＭ、ＥＰＲＯＭなどの記憶素子によって構成される。
【００２５】
制御ユニット９０は、ＰＣ１１０から出力される画像データに基づき記録データを作成し、当該記録データに従って、移動部２０、ヘッドユニット５０、加熱部８などを制御する。詳しくは、制御ユニット９０は、ヘッドユニット５０が媒体Ｍに対して相対的に走査する走査動作中に、ノズルＮｚからインクＦ，Ｓ及び反応液ＯＦ，ＯＳの少なくとも一方を媒体Ｍに記録するパス動作（主走査）と、ヘッドユニット５０を媒体Ｍに対して相対移動する搬送動作（副走査）とを繰り返すように、ヘッドユニット５０、搬送ローラー４３、及びキャリッジ３２を制御し、媒体Ｍに白色の背景画像ＢＧとフルカラーの画像ＦＣとを順に記録する。
【００２６】
図３に示すように、ヘッドユニット５０は、各色（ホワイト、シアン、マゼンタ、イエロー、ブラック）のインクＷ，Ｃ，Ｍ，ＹＥ，Ｋ（インクＦ，Ｓ）及び反応液Ｏｐ（反応液ＯＦ，ＯＳ）を記録する二つのノズルチップ５１，５２（第１ノズルチップ５１、第２ノズルチップ５２）を有する。第１ノズルチップ５１は、第２ノズルチップ５２に対して搬送方向Ｙの上流側に配置されている。
ノズルチップ５１，５２は、インクＦ，Ｓまたは反応液ＯＦ，ＯＳを記録するための構造を有する部品である。例えば、ノズルチップ５１，５２は、ノズルＮｚやピエゾ素子（図示省略）やインク室（図示省略）が、半導体製造技術（いわゆるＭＥＭＳ）により集積して製造された部品である。
【００２７】
ノズルチップ５１，５２の媒体Ｍと対向する面には、インクＦ，Ｓを記録するためのノズルＮｚ、及び反応液Ｏｐ（反応液ＯＦ，ＯＳ）を記録するためのノズルＮｚが複数形成されている。ノズルＮｚは、搬送方向Ｙに沿って一定の間隔（ノズルピッチｄｐ）で配列され、ノズル群５５を形成する。
ノズル群５５は、ホワイトのインクＷを記録するノズルＮｚが並んだノズル群５５Ｗと、シアンのインクＣを記録するノズルＮｚが並んだノズル群５５Ｃと、マゼンタのインクＭを記録するノズルＮｚが並んだノズル群５５Ｍと、イエローのインクＹＥを記録するノズルＮｚが並んだノズル群５５Ｙと、ブラックのインクＫを記録するノズルＮｚが並んだノズル群５５Ｋと、インクＷ，Ｃ，Ｍ，ＹＥ，Ｋに作用する反応液Ｏｐを記録するノズルＮｚが並んだノズル群５５Ｏｐとを有する。
なお、ノズル群５５Ｗは「第１ノズル群」の一例であり、ノズル群５５Ｃ，５５Ｍ，５５Ｙ，５５Ｋは「第２ノズル群」の一例であり、ノズル群５５Ｏｐは「第３ノズル群」の一例である。さらに、ノズルＮｚが一定の間隔（ノズルピッチｄｐ）で配列される搬送方向Ｙは、「ノズルの並び方向」の一例である。
【００２８】
このように、ノズルチップ５１，５２（ヘッドユニット５０）は、インクＷ（第１インクＦ）を記録するノズルＮｚが並んだノズル群５５Ｗと、インクＣ，Ｍ，ＹＥ，Ｋ（第２インクＳ）を記録するノズルＮｚが並んだノズル群５５Ｃ，５５Ｍ，５５Ｙ，５５Ｋと、インクＷ，Ｃ，Ｍ，ＹＥ，Ｋ（インクＦ，Ｓ）に作用する反応液Ｏｐ（反応液ＯＦ，ＯＳ）を記録するノズルＮｚが並んだノズル群５５Ｏｐとを有する。
反応液ＯＦ，ＯＳを記録するノズルＮｚが並んだノズル群５５Ｏｐは、ノズルチップ５１，５２（ヘッドユニット５０）の端部に配置されている。そして、ノズル群５５Ｋと、ノズル群５５Ｙと、ノズル群５５Ｍと、ノズル群５５Ｃと、ノズル群５５Ｗと、ノズル群５５Ｗと、ノズル群５５Ｏｐと、ノズル群５５Ｏｐとが、走査方向Ｘに沿って順に配置されている。
【００２９】
ヘッドユニット５０において、ノズル群５５Ｋの搬送方向Ｙの位置と、ノズル群５５Ｙの搬送方向Ｙの位置と、ノズル群５５Ｍの搬送方向Ｙの位置と、ノズル群５５Ｃの搬送方向Ｙの位置と、ノズル群５５Ｗの搬送方向Ｙの位置と、ノズル群５５Ｏｐの搬送方向Ｙの位置とは、同じである。
なお、本願における「ノズルの並び方向において重複する」とは、搬送方向Ｙの位置が同じであることに相当する。このため、ヘッドユニット５０は、第１インクＦを記録するノズルＮｚが並んだノズル群５５Ｗと、第２インクＳを記録するノズルＮｚが並んだノズル群５５Ｃ，５５Ｍ，５５Ｙ，５５Ｋと、インクＦ，Ｓに作用する反応液ＯＦ，ＯＳを記録するノズルＮｚが並んだノズル群５５ＯｐとがノズルＮｚの並び方向（搬送方向Ｙ）において重複する構成を有する。
さらに、走査方向Ｘ側から見た場合、ノズル群５５Ｗに配置されるノズルＮｚと、ノズル群５５Ｃ，５５Ｍ，５５Ｙ，５５Ｋに配置されるノズルＮｚと、ノズル群５５Ｏｐに配置されるノズルＮｚとは、平面視で重なる。
【００３０】
第１ノズルチップ５１における搬送方向Ｙの下流側端部のノズルＮｚと、第２ノズルチップ５２における搬送方向Ｙの上流側端部のノズルＮｚとの間隔は、各ノズルチップ５１，５２におけるノズルピッチｄｐと等しい。このため、ノズルチップ５１，５２は、ノズルＮｚがノズルピッチｄｐで搬送方向Ｙに配列される一つのノズルチップと見なすことができる。
なお、走査方向Ｘ側から見た場合、第１ノズルチップ５１の搬送方向Ｙの下流側端部に配置されるノズルＮｚと、第２ノズルチップ５２の搬送方向Ｙの上流側端部に配置されるノズルＮｚとが、平面視で重なる構成であってもよい。
【００３１】
第１ノズルチップ５１における搬送方向Ｙの上流側端のノズルＮｚと、第２ノズルチップ５２における搬送方向Ｙの下流側端のノズルＮｚとの距離は、概略長さ４Ｌである。
本実施形態では、第１ノズルチップ５１における搬送方向Ｙの上流側端のノズルＮｚと、第２ノズルチップ５２における搬送方向Ｙの下流側端のノズルＮｚとの距離は、１回の搬送動作における媒体Ｍの移動量（長さＬ）の４倍に設定されている。
なお、第１ノズルチップ５１における搬送方向Ｙの上流側端のノズルＮｚと、第２ノズルチップ５２における搬送方向Ｙの下流側端のノズルＮｚとの距離は、１回の搬送動作における媒体Ｍの移動量（長さＬ）の４倍より短くてもよく、１回の搬送動作における媒体Ｍの移動量（長さＬ）の４倍より長くてもよい。
【００３２】
さらに、図３には、後述する記録装置１０の記録方法において、実際にインクＦ，Ｓ及び反応液ＯＦ，ＯＳの少なくとも一つを記録するノズルＮｚが配置される領域が破線で囲まれている。
図３において、破線で囲まれた領域ＲＯＦ及び領域ＲＯＳは、実際に反応液Ｏｐを記録するノズルＮｚが配置される領域である。詳しくは、領域ＲＯＦのノズルＮｚから実際に第１反応液ＯＦが記録され、領域ＲＯＳのノズルＮｚから実際に第２反応液ＯＳが記録される。
図３において破線で囲まれた領域ＲＦ及び領域ＲＳは、実際にインクＦ，Ｓ（インクＷ，Ｃ，ＹＥ，Ｍ，Ｋ）を記録するノズルＮｚが配置される領域である。詳しくは、領域ＲＦのノズルＮｚから実際に第１インクＦ（インクＷ）が記録され、領域ＲＳのノズルＮｚから実際に第２インクＳ（インクＣ，Ｍ，ＹＥ，Ｋ）が記録される。
【００３３】
第１ノズルチップ５１は、実際に第１反応液ＯＦを記録するノズルＮｚが配置される領域ＲＯＦと、実際に第１インクＦを記録するノズルＮｚが配置される領域ＲＦとを有する。本実施形態では、第１ノズルチップ５１に設けられたノズル群５５Ｏｐの一部から第１反応液ＯＦが記録され、第１ノズルチップ５１に設けられたノズル群５５Ｗの全体から第１インクＦが記録されるようになっている。また、第１反応液ＯＦを実際に記録するノズルＮｚが配置される領域ＲＯＦの搬送方向Ｙの長さは、第１インクＦを実際に記録するノズルＮｚが配置される領域ＲＦの搬送方向Ｙの長さの半分である。
【００３４】
第２ノズルチップ５２は、実際に第２反応液ＯＳを記録するノズルＮｚが配置される領域ＲＯＳと、実際に第２インクＳを記録するノズルＮｚが配置される領域ＲＳとを有する。本実施形態では、第２ノズルチップ５２に設けられたノズル群５５Ｏｐの一部から第２反応液ＯＳが実際に記録され、第２ノズルチップ５２に設けられたノズル群５５Ｃ，５５Ｍ，５５Ｙ，５５Ｋの全体から第２インクＳが実際に記録されるようになっている。また、第２反応液ＯＳを実際に記録するノズルＮｚが配置される領域ＲＯＳの搬送方向Ｙの長さは、第２インクＳを実際に記録するノズルＮｚが配置される領域ＲＳの搬送方向Ｙの長さの半分である。
【００３５】
上述したように、反応液ＯＦ，ＯＳに含まれる凝集剤は、インクＦ，Ｓに含まれる顔料を凝集させる。
仮に、ノズル群５５Ｏｐから記録される反応液ＯＦ，ＯＳがミストとなり、ノズル群５５Ｗ，５５Ｃ，５５Ｍ，５５Ｙ，５５Ｋに付着すると、ノズル群５５Ｗ，５５Ｃ，５５Ｍ，５５Ｙ，５５ＫのノズルＮｚの中に充填されているインクＦ，Ｓに含まれる顔料が凝集する凝集反応が生じ、凝集した顔料によってノズルＮｚの一部が閉塞され、ノズルＮｚから適正にインクＦ，Ｓが記録されなくなるおそれがある。
本実施形態では、反応液ＯＦ，ＯＳが記録されるノズル群５５Ｏｐの搬送方向Ｙの長さは、インクＦ，Ｓが記録されるノズル群５５Ｗ，５５Ｃ，５５Ｍ，５５Ｙ，５５Ｋの搬送方向Ｙの長さの半分と短いので、インクＦ，Ｓが記録されるノズル群５５Ｗ，５５Ｃ，５５Ｍ，５５Ｙ，５５Ｋの搬送方向Ｙの長さと同じである場合と比べて、ノズル群５５Ｏｐから記録される反応液ＯＦ，ＯＳのミストが、ノズル群５５Ｗ，５５Ｃ，５５Ｍ，５５Ｙ，５５Ｋに付着しにくくなり、ノズル群５５Ｏｐから記録される反応液ＯＦ，ＯＳのミストの悪影響（ノズルＮｚの閉塞）が生じにくくなる。
さらに、反応液ＯＦ，ＯＳを記録するノズルＮｚが並んだノズル群５５Ｏｐを、ノズルチップ５１，５２（ヘッドユニット５０）の端部に配置すると、ノズルチップ５１，５２（ヘッドユニット５０）の端部に配置しない場合と比べて、ノズル群５５Ｏｐから記録される反応液ＯＦ，ＯＳのミストの悪影響を小さくすることができる。
【００３６】
以降の説明では、実際に第１インクＦを記録するノズルＮｚをノズルＮＦと称し、実際に第２インクＳを記録するノズルＮｚをノズルＮＳと称し、実際に第１反応液ＯＦを記録するノズルＮｚをノズルＮＯＦと称し、実際に第２反応液ＯＳを記録するノズルＮｚをノズルＮＯＳと称す。
すなわち、領域ＲＦに配置されるノズルＮｚが、実際に第１インクＦを記録するノズルＮＦであり、領域ＲＳに配置されるノズルＮｚが、実際に第２インクＳを記録するノズルＮＳであり、領域ＲＯＦに配置されるノズルＮｚが、実際に第１反応液ＯＦを記録するノズルＮＯＦであり、領域ＲＯＳに配置されるノズルＮｚが、実際に第２反応液ＯＳを記録するノズルＮＯＳである。
【００３７】
「記録データの生成方法」
図４は、記録データの生成方法を示すフロー図である。
次に、図４を参照し、制御ユニット９０が実行する記録データの生成方法について説明する。
【００３８】
記録装置１０では、制御ユニット９０が、ＰＣ１１０から出力される画像データを取得し、記録データを生成する。さらに、制御ユニット９０は、当該記録データに基づき、移動部２０、ヘッドユニット５０、加熱部８などを制御し、媒体Ｍに所定の画像を形成する。
図４に示すように、制御ユニット９０が記録データを生成する工程は、解像度変換処理を実施する工程（ステップＳ１）と、色変換処理を実施する工程（ステップＳ２）と、ハーフトーン処理を実施する工程（ステップＳ３）と、ラスタライズ処理を実施する工程（ステップＳ４）と、コマンド付加処理を実施する工程（ステップＳ５）とを含む。
【００３９】
ステップＳ１では、制御ユニット９０は、ＰＣ１１０から出力される画像データを媒体Ｍに記録する際の解像度に変換する解像度変換処理を実施する。
例えば、記録解像度が７２０×７２０ｄｐｉに指定されている場合、ＰＣ１１０から受け取ったベクター形式の画像データを、７２０×７２０ｄｐｉの解像度のビットマップ形式の画像データに変換する。解像度変換処理後の画像データの各画素データは、マトリクス状に配置された画素から構成される。解像度変換処理後の画像データの各画素データは、ＲＧＢ色空間の２５６階調の階調値を示すデータである。つまり、解像度変換後の画像データの各画素データは、対応する画素の階調値を示すものである。
【００４０】
ステップＳ２では、制御ユニット９０は、ＲＧＢデータをＣＭＹＫ色系空間のデータに変換する色変換処理を行う。
色変換処理は、ＲＧＢデータをＣＭＹＫ色系空間のデータに変換する処理である。ＣＭＹＫ色とは、シアンとマゼンタとイエローとブラックとからなる色であり、ＣＭＹＫ色系空間の画像データは、記録装置１０が有するインクＣ，Ｍ，ＹＥ，Ｋの色に対応したデータである。本実施形態では、記録装置１０は５種類のインクを使用するので、制御ユニット９０は、ＲＧＢデータに基づいて、ＣＭＹＫ色系の５次元空間の画像データを生成する。
【００４１】
この色変換処理は、ＲＧＢデータの階調値とＣＭＹＫ色系データの階調値とを対応づける色変換テーブルに基づいて行われる。なお、色変換処理後の画素データは、ＣＭＹＫ色系空間により表される例えば２５６階調のＣＭＹＫ色系データである。色変換処理後の画像データは、記録領域Ｒの各画素に記録されるインクＷ，Ｃ，Ｍ，ＹＥ，Ｋの液量を含む。
さらに、色変換テーブルは、インクＷ，Ｃ，Ｍ，ＹＥ，Ｋの液量に対応する反応液Ｏｐの液量データも有しており、制御ユニット９０は、色変換テーブルに基づき、記録領域Ｒの各画素に記録されるインクＷ，Ｃ，Ｍ，ＹＥ，Ｋの液量に対応する反応液Ｏｐの液量を算出する。
すなわち、ステップＳ２では、制御ユニット９０は、媒体Ｍに記録される第１インクＦの液量と、媒体Ｍに記録される第１インクＦに作用する第１反応液ＯＦの液量と、媒体Ｍに記録される第２インクＳの液量と、媒体Ｍに記録される第１インクＦに作用する第１反応液ＯＦの液量と、媒体Ｍに記録される第２インクＳに作用する第２反応液ＯＳの液量とを算出する。
【００４２】
ステップＳ３では、制御ユニット９０は、高階調数（２５６階調）のデータを、記録装置１０が形成可能な階調数のデータに変換するハーフトーン処理を実施する。このハーフトーン処理により、２５６階調を示すデータが、例えば、２階調（ドット有り、無し）を示す１ビットデータや、４階調（ドット無し、小ドット、中ドット、大ドット）を示す２ビットデータなど、ドットの形成状態を決定するハーフトーンデータに変換される。
【００４３】
ステップＳ４では、制御ユニット９０は、マトリクス状に並ぶ画素データ（例えば、上述した１ビットや２ビットのハーフトーンデータ）を、記録時のドット形成順序に従って並べ替えるラスタライズ処理を実施する。ラスタライズ処理には、ハーフトーン処理後の画素データ（ハーフトーンデータ）によって構成される画像データを、ヘッドユニット５０が走査方向Ｘに移動しながらインクＦ，Ｓ及び反応液ＯＦ，ＯＳの少なくとも一つを記録する各主走査に割り付ける割り付け処理が含まれる。
【００４４】
ステップＳ５では、制御ユニット９０は、ラスタライズ処理されたデータに、記録方式に応じたコマンドデータを付加するコマンド付加処理を実施し、記録データを生成する。なお、コマンドデータには、例えば媒体Ｍの搬送仕様（搬送方向Ｙへの移動量や速度など）に関わる搬送データが含まれる。
【００４５】
「記録装置の記録方法」
図５は、本実施形態に係る記録装置の記録方法を示す工程フローである。図６は、本実施形態に係る記録装置の記録方法の説明図である。図７は、図５に示す主要な工程を経た後の媒体Ｍの状態を示す概略断面図である。
図６に示すヘッドユニット５０は、図３に示すヘッドユニット５０を簡素化した模式図である。図６に示すヘッドユニット５０では、実際に第１インクＦを記録するノズルＮＦが白い丸で図示され、実際に第２インクＳを記録するノズルＮＳが黒い丸で図示され、実際に第１反応液ＯＦを記録するノズルＮＯＦが白い三角で図示され、実際に第２反応液ＯＳを記録するノズルＮＯＳが黒い三角で図示されている。
図６に示すように、図３に示すヘッドユニット５０は、走査方向Ｘの一方側においてノズルＮＦ，ＮＳが搬送方向Ｙに沿って等間隔で配列され、走査方向Ｘの他方側においてノズルＮＯＦ，ＮＯＳが搬送方向Ｙに沿って等間隔で配列され、ノズルＮＯＦが複数配置されたノズル群と、ノズルＮＯＳが複数配置されたノズル群とが離間する状態で図示することができる。
【００４６】
記録装置１０では、ヘッドユニット５０が、反応液ＯＦ，ＯＳまたはインクＦ，Ｓを記録しながら走査方向Ｘに移動するパス動作（主走査）と、媒体Ｍが搬送方向Ｙに搬送される搬送動作（副走査）とが交互に繰り返され、媒体Ｍに画像が記録される。
図６には、パス動作（主走査）における媒体Ｍに対するヘッドユニット５０の相対的な位置関係が図示されている。
図６において、符号Ｐ１は１回目のパス動作におけるヘッドユニット５０の位置を示し、符号Ｐ２は２回目のパス動作におけるヘッドユニット５０の位置を示し、符号Ｐ３は３回目のパス動作におけるヘッドユニット５０の位置を示し、符号Ｐ４は４回目のパス動作におけるヘッドユニット５０の位置を示す。
なお、記録装置１０では、複数のパス動作を繰り返して、媒体Ｍに画像を形成する。例えば、複数のパス動作における任意のパス動作をｎ回目のパス動作とした場合、ｎ＋１回目のパス動作が１回目のパス動作に相当し、ｎ＋２回目のパス動作が２回目のパス動作に相当し、ｎ＋３回目のパス動作が３回目のパス動作に相当し、ｎ＋４回目のパス動作が４回目のパス動作に相当する。
また、１回目のパス動作は「第１パス動作」の一例であり、２回目のパス動作は「第２パス動作」の一例であり、３回目のパス動作は「第３パス動作」の一例であり、４回目のパス動作は「第４パス動作」の一例である。
【００４７】
さらに、図６では、ヘッドユニット５０が媒体Ｍに対して移動しているように描かれているが、実際には媒体Ｍが搬送方向Ｙに移動する。また、図６において、Ｘ方向におけるヘッドユニット５０の位置関係は意味を持たない。すなわち、記録装置の記録方法の状態を分かりやすく図示するために、図６では、Ｐ１におけるヘッドユニット５０と、Ｐ２におけるヘッドユニット５０と、Ｐ３におけるヘッドユニット５０と、Ｐ４におけるヘッドユニット５０とにおいて、それぞれの走査方向Ｘの位置を便宜的に変化させている。
さらに、図６では、ヘッドユニット５０のノズルＮｚから媒体Ｍに対してインクＦ，Ｓまたは反応液ＯＦ，ＯＳが記録され、１回のパス動作によって媒体ＭにインクＦ，Ｓまたは反応液ＯＦ，ＯＳが記録される領域、すなわち、１回のパス動作によって媒体Ｍに画像が形成される領域が、記録領域Ｒ（記録領域Ｒ１，Ｒ２，Ｒ３，Ｒ４）として二点鎖線で図示されている。また、図６における記録領域Ｒ（記録領域Ｒ１，Ｒ２，Ｒ３，Ｒ４）の搬送方向Ｙの長さは、１回の搬送動作における媒体Ｍの移動量（長さＬ）である。
さらに、記録領域Ｒは、１回のパス動作によって媒体Ｍに画像が形成される領域であるに加えて、１回のパス動作によって画像が形成される領域の媒体Ｍである。すなわち、記録領域Ｒは、画像が形成される領域の媒体Ｍを意味し、「本願の記録装置の記録方法における媒体」の一例である。
なお、以降の説明では、記録領域Ｒ１，Ｒ２，Ｒ３，Ｒ４をまとめて記録領域Ｒと称す場合や、記録領域Ｒ１を記録領域Ｒと称す場合がある。
【００４８】
図７において符号Ｆ１で示される図は、１回目のパス動作（ステップＳ１１（図５参照））を実施した後の媒体Ｍの状態を示す概略断面図である。図７において符号Ｆ２で示される図は、２回目のパス動作（ステップＳ１３（図５参照））を実施した後の媒体Ｍの状態を示す概略断面図である。図７において符号Ｆ３で示される図は、３回目のパス動作（ステップＳ１５（図５参照））を実施した後の媒体Ｍの状態を示す概略断面図である。図７において符号Ｆ４で示される図は、４回目のパス動作（ステップＳ１７（図５参照））を実施した後の媒体Ｍの状態を示す概略断面図である。
さらに、図７において符号Ｆ５で示される図は、加熱部８による加熱処理を実施した後の媒体Ｍの状態を示す概略断面図である。
次に、図５〜図７を参照し、本実施形態に係る記録装置１０の記録方法の概要を説明する。
【００４９】
図５に示すように、本実施形態に係る記録装置１０の記録方法は、１回目のパス動作によって記録領域Ｒ１に第１インクＦ及び第１反応液ＯＦを記録する工程（ステップＳ１１）と、媒体Ｍを搬送方向Ｙに搬送する工程（ステップＳ１２）と、２回目のパス動作によって記録領域Ｒ１に第１インクＦを記録する工程（ステップＳ１３）と、媒体Ｍを搬送方向Ｙに搬送する工程（ステップＳ１４）と、３回目のパス動作によって記録領域Ｒ１に第２反応液ＯＳ及び第２インクＳを記録する工程（ステップＳ１５）と、媒体Ｍを搬送方向Ｙに搬送する工程（ステップＳ１６）と、４回目のパス動作によって記録領域Ｒ１に第２インクＳを記録する工程（ステップＳ１７）と、媒体Ｍを搬送方向Ｙに搬送する工程（ステップＳ１８）と、を備える。
なお、ステップＳ１１は、「第１パス動作で、第１液体と反応液とを記録して媒体上に第１層を形成する工程」の一例である。ステップＳ１３は、「第２パス動作で、第１液体を記録して第１層上に第２層を形成する工程」の一例である。ステップＳ１５は、「第３パス動作で、第２液体と反応液とを記録して第２層上に第３層を形成する工程」の一例である。ステップＳ１７は、「第４パス動作で、第２液体を記録して第３層上に第４層を形成する工程」の一例である。
【００５０】
図６に示すように、ステップＳ１１では、１回目のパス動作が実施され、制御ユニット９０は、記録領域Ｒ１に対して、ノズルＮＯＦから第１反応液ＯＦが記録されノズルＮＦから第１インクＦが記録されるように、ヘッドユニット５０を制御する。すると、図７において符号Ｆ１で示される図に示すように、第１インクＦ及び第１反応液ＯＦで構成される第１層１が、媒体Ｍ（記録領域Ｒ１）上に形成される。
すなわち、ステップＳ１１では、１回目のパス動作で、第１インクＦと第１反応液ＯＦとを記録して媒体Ｍ上に第１層１を形成する。
【００５１】
媒体Ｍは、インクＦ，Ｓを吸収しにくい非吸収性媒体または低吸収性媒体であるので、第１インクＦを弾きやすい。さらに、第１インクＦに含まれる顔料は、分散処理がなされ、顔料表面に電荷が帯電し、静電気によって顔料同士が反発し、第１インクＦの中で顔料が凝集しにくくなっている。
仮に、媒体Ｍに対して第１インクＦだけが記録されると、第１インクＦは、媒体Ｍによって弾かれ、媒体Ｍの外に排出されやすい。さらに、第１インクＦに含まれる顔料は凝集しにくいので、媒体Ｍの目標位置に沈降（付着）しにくい。
このため、ステップＳ１１では、第１インクＦ及び第１反応液ＯＦの両方を媒体Ｍに記録する。第１反応液ＯＦは、水と凝集剤と界面活性剤とを含み、第１反応液ＯＦに含まれる界面活性剤は、第１インクＦの媒体Ｍに対する濡れ性を改善する。このため、第１インクＦは、媒体Ｍによって弾かれず、媒体Ｍの表面を均一に濡れ広がりやすくなる。第１反応液ＯＦに含まれる凝集剤は、顔料表面の電荷を中和し、顔料を凝縮させる。すると、凝集剤によって凝集した顔料は、媒体Ｍの表面に沈降し、媒体Ｍの目標位置に付着しやすくなる。
なお、ステップＳ１１では、ステップＳ１１で記録される第１インクＦの顔料だけでなく、以降の工程（ステップＳ１３）で記録される第１インクＦの顔料に対しても、適正に凝集反応が生じるように、第１反応液ＯＦの液量が設定されている。
【００５２】
続いて、ステップＳ１２において、媒体Ｍを搬送方向Ｙに搬送する副走査が実施された後、ステップＳ１３が実施される。なお、１回の副走査における媒体Ｍの移動量は長さＬである。
【００５３】
図６に示すように、ステップＳ１３では、２回目のパス動作が実施され、制御ユニット９０は、記録領域Ｒ１に対してノズルＮＦから第１インクＦが記録され、記録領域Ｒ２に対してノズルＮＦ，ＮＯＦから第１インクＦ及び第１反応液ＯＦが記録されるように、ヘッドユニット５０を制御する。すると、図７において符号Ｆ２で示される図に示すように、第１インクＦで構成される第２層２が、記録領域Ｒ１における第１層１上に形成される。
すなわち、ステップＳ１３では、２回目のパス動作で、第１インクを記録して第１層１上に第２層２を形成する。
ステップＳ１３では、第１インクＦは、第１インクＦを含む第１層１上を良好に濡れ広がる。第１反応液ＯＦが事前に記録された記録領域Ｒ１に、第１インクＦが記録されるので、第１インクＦの顔料は適正に凝集し、目標位置に付着する。さらに、ステップＳ１３を設けることによって、白色の背景画像ＢＧの濃度を高めることができる。
【００５４】
続いて、ステップＳ１４において、媒体Ｍを搬送方向Ｙに搬送する副走査が実施された後、ステップＳ１５が実施される。
【００５５】
図６に示すように、ステップＳ１５では、３回目のパス動作が実施され、制御ユニット９０は、記録領域Ｒ１に対してノズルＮＳ，ＮＯＳから第２インクＳ及び第２反応液ＯＳが記録され、記録領域Ｒ２に対してノズルＮＦから第１インクＦが記録され、記録領域Ｒ３に対してノズルＮＦ，ＮＯＦから第１インクＦ及び第１反応液ＯＦが記録されるように、ヘッドユニット５０を制御する。すると、図７において符号Ｆ３で示される図に示すように、第２インクＳ及び第２反応液ＯＳで構成される第３層３が、記録領域Ｒ１における第２層２上に形成される。
すなわち、ステップＳ１５では、３回目のパス動作で、第２インクＳと第２反応液ＯＳとを記録して第２層２上に第３層３を形成する。
【００５６】
ステップＳ１１で記録される反応液Ｏｐ（第１反応液ＯＦ）は、ステップＳ１１，Ｓ１３で記録される第１インクＦに作用し、消費されるので、ステップＳ１５，Ｓ１７で記録される第２インクＳに作用しない。このため、ステップＳ１５，Ｓ１７で記録される第２インクＳに作用する反応液Ｏｐ（第２反応液ＯＳ）を、ステップＳ１５において媒体Ｍに記録する。
ステップＳ１５では、第２インクＳは、第１インクＦを含む第２層２上を良好に濡れ広がる。さらに、同時に記録される第２反応液ＯＳによって、第２インクＳの顔料は適正に凝集し、目標位置に付着する。
【００５７】
続いて、ステップＳ１６において、媒体Ｍを搬送方向Ｙに搬送する副走査が実施された後、ステップＳ１７が実施される。
【００５８】
図６に示すように、ステップＳ１７では、４回目のパス動作が実施され、制御ユニット９０は、記録領域Ｒ１に対してノズルＮＳから第２インクＳが記録され、記録領域Ｒ２に対してノズルＮＳ，ＮＯＳから第２インクＳ及び第２反応液ＯＳが記録され、記録領域Ｒ３に対してノズルＮＦから第１インクＦが記録され、記録領域Ｒ４に対してノズルＮＦ，ＮＯＦから第１インクＦ及び第１反応液ＯＦが記録されるように、ヘッドユニット５０を制御する。すると、図７において符号Ｆ４で示される図に示すように、第２インクＳで構成される第４層４が、記録領域Ｒ１における第３層３上に形成される。
すなわち、ステップＳ１７では、４回目のパス動作で、第２インクＳを記録して第３層３上に第４層４を形成する。
ステップＳ１７では、第２インクＳは、第２インクＳを含む第３層３上を良好に濡れ広がる。第２反応液ＯＳが事前に記録された記録領域Ｒ１に、第２インクＳが記録されるので、第２インクＳの顔料は適正に凝集し、目標位置に付着する。さらに、ステップＳ１７を設けることによって、フルカラーの画像ＦＣの濃度を高めることができる。
【００５９】
続いて、ステップＳ１８において、媒体Ｍを搬送方向Ｙに搬送する副走査が実施された後、次のパス動作（主走査）が実施される。
【００６０】
このように、上述した４回の主走査（１回目のパス動作〜４回目のパス動作）によって記録領域Ｒ１（媒体Ｍ）に対して、第１反応液ＯＦ及び第１インクＦで構成される第１層１と、第１インクＦで構成される第２層２と、第２反応液ＯＳ及び第２インクＳで構成される第３層３と、第２インクＳで構成される第４層４と、を順に形成する。
記録領域Ｒ１以外の他の記録領域Ｒ（記録領域Ｒ２，Ｒ３，Ｒ４など）に対しても、記録領域Ｒ１と同様に、４回の主走査によって、第１層１と第２層２と第３層３と第４層４とを順に形成する。
【００６１】
記録領域Ｒ１以外の他の記録領域Ｒ（記録領域Ｒ２，Ｒ３，Ｒ４など）に対して、４回の主走査によって、第１層１と第２層２と第３層３と第４層４とを順に形成した後、加熱部８による加熱処理を施す。
加熱部８による加熱処理を施すと、第１層１及び第２層２における第１インクＦの樹脂成分が溶解し、第１インクＦの顔料を含む樹脂層が形成され、第１インクＦの顔料が媒体Ｍに定着する。その結果、第１インクＦの顔料を含む樹脂層によって、白色の背景画像ＢＧが形成される。さらに、第３層３及び第４層４における第２インクＳの樹脂成分が溶解し、第２インクＳの顔料を含む樹脂層が形成され、第２インクＳの顔料が媒体Ｍに定着する。その結果、第２インクＳの顔料を含む樹脂層によって、フルカラーの画像ＦＣが形成される。
このように、加熱部８による加熱処理によって、透明な媒体Ｍの上に、白色の背景画像ＢＧとフルカラーの画像ＦＣとを順に形成する。
【００６２】
以上述べたように、本実施形態に係る記録装置１０の記録方法は、ステップＳ１１において第１インクＦと第１反応液ＯＦとを記録し、ステップＳ１３において第１インクＦを記録し、ステップＳ１５において第２インクＳと第２反応液ＯＳとを記録し、ステップＳ１７において第２インクＳを記録し、媒体Ｍ上に、第１層１と第２層２と第３層３と第４層４とを順に形成する。
ステップＳ１１，１５において、インクＦ，Ｓと反応液ＯＦ，ＯＳとを同時に記録するので、インクＦ，Ｓと反応液ＯＦ，ＯＳとを別々に記録する場合と比べて、本実施形態に係る記録装置１０の生産性を高めることができる。
【００６３】
（実施形態２）
図８は、図３に対応する図であり、実施形態２に係る記録装置が備えるヘッドユニットのノズルの配置状態を示す模式図である。図９は、本実施形態に係る記録装置が備えるヘッドユニットのノズルの配置状態を示す他の模式図である。図１０は、本実施形態に係る記録装置の記録方法を示す工程フローである。図１１は、図６に対応する図であり、本実施形態に係る記録装置の記録方法の説明図である。図１２は、図７に対応する図であり、図１０に示す主要な工程を経た後の媒体Ｍの状態を示す概略断面図である。
図１２において符号Ｆ１１で示される図は、１回目のパス動作（ステップＳ２１（図１０参照））を実施した後の媒体Ｍの状態を示す概略断面図である。図１２において符号Ｆ１２で示される図は、２回目のパス動作（ステップＳ２３（図１０参照））を実施した後の媒体Ｍの状態を示す概略断面図である。図１２において符号Ｆ１３で示される図は、３回目のパス動作（ステップＳ２５（図１０参照））を実施した後の媒体Ｍの状態を示す概略断面図である。
さらに、図１２において符号Ｆ１４で示される図は、加熱部８による加熱処理を実施した後の媒体Ｍの状態を示す概略断面図である。
【００６４】
本実施形態に係る記録装置と実施形態１に係る記録装置１０とでは、ヘッドユニットの状態と、記録方法とが異なる。この点が、本実施形態に係る記録装置と、実施形態１に係る記録装置１０との主な相違点である。
以下、図８〜図１２を参照し、本実施形態に係る記録装置の概要を、実施形態１との相違点を中心に説明する。また、実施形態１と同一の構成部位については、同一の符号を附し、重複する説明を省略する。
【００６５】
本実施形態に係る記録装置は、最初に透明な媒体Ｍに対してホワイトのインクＷを記録し、透明な媒体Ｍに背景画像ＢＧ（図１２参照）を記録し、次に、シアン、マゼンタ、イエロー、ブラックの４色のインクＣ，Ｍ，ＹＥ，Ｋを記録し、背景画像ＢＧの上にフルカラーの画像ＦＣ（図１２参照）を記録する。
【００６６】
図８に示すように、本実施形態に係る記録装置が備えるヘッドユニット６０は、反応液Ｏｐ（反応液ＯＦ，ＯＳ）を記録する二つのノズルチップ６１，６２（第１ノズルチップ６１、第２ノズルチップ６２）と、各色（ホワイト、シアン、マゼンタ、イエロー、ブラック）のインクＷ，Ｃ，Ｍ，ＹＥ，Ｋ（インクＦ，Ｓ）を記録する二つのノズルチップ６３，６４（第３ノズルチップ６３、第４ノズルチップ６４）とを有する。
すなわち、本実施形態に係るヘッドユニット６０は、反応液Ｏｐ（反応液ＯＦ，ＯＳ）及び各色（ホワイト、シアン、マゼンタ、イエロー、ブラック）のインクＷ，Ｃ，Ｍ，ＹＥ，Ｋ（インクＦ，Ｓ）を異なるノズルチップから記録する。一方、実施形態１に係るヘッドユニット５０は、反応液Ｏｐ（反応液ＯＦ，ＯＳ）及び各色（ホワイト、シアン、マゼンタ、イエロー、ブラック）のインクＷ，Ｃ，Ｍ，ＹＥ，Ｋ（インクＦ，Ｓ）を同じノズルチップから記録する。この点は、本実施形態と実施形態１との相違点である。
【００６７】
第１ノズルチップ６１は、第１反応液ＯＦ（反応液Ｏｐ）を記録するノズルＮｚが、搬送方向Ｙに沿って等間隔（ノズルピッチｄｐ）で配列されたノズル群５５Ｏｐを有する。第２ノズルチップ６２は、第２反応液ＯＳ（反応液Ｏｐ）を記録するノズルＮｚが、搬送方向Ｙに沿って等間隔（ノズルピッチｄｐ）で配列されたノズル群５５Ｏｐを有する。第３ノズルチップ６３及び第４ノズルチップ６４は、第１インクＦ（インクＷ）を記録するノズルＮｚが、搬送方向Ｙに沿って等間隔（ノズルピッチｄｐ）で配列されたノズル群５５Ｗと、第２インクＳ（インクＣ，Ｍ，ＹＥ，Ｋ）を記録するノズルＮｚが、搬送方向Ｙに沿って等間隔（ノズルピッチｄｐ）で配列されたノズル群５５Ｃ，５５Ｍ，５５Ｙ，５５Ｋとを有する。
【００６８】
第１ノズルチップ６１と第２ノズルチップ６２とは搬送方向Ｙに沿って順に配置され、第１ノズルチップ６１は、第２ノズルチップ６２に対して搬送方向Ｙの上流側に配置される。第３ノズルチップ６３と第４ノズルチップ６４とは搬送方向Ｙに沿って順に配置され、第３ノズルチップ６３は、第４ノズルチップ６４に対して搬送方向Ｙの上流側に配置される。また、ノズルチップ６３，６４は、走査方向Ｘにおける一方側に配置され、ノズルチップ６１，６２は、走査方向Ｘにおける他方側に配置される。
【００６９】
第１ノズルチップ６１では、ノズル群５５ＯｐのノズルＮｚから、実際に第１反応液ＯＦが記録される。第２ノズルチップ６２では、ノズル群５５ＯｐのノズルＮｚから、実際に第２反応液ＯＳが記録される。第３ノズルチップ６３では、ノズル群５５ＷにおけるノズルＮｚから実際に第１インクＦが記録され、ノズル群５５Ｃ，５５Ｍ，５５Ｙ，５５Ｋから第２インクＳが記録されない。第４ノズルチップ６４では、ノズル群５５Ｃ，５５Ｍ，５５Ｙ，５５ＫのノズルＮｚから実際に第２インクＳが記録され、ノズル群５５ＷにおけるノズルＮｚから第１インクＦが記録されない。
【００７０】
本願における「ノズルの並び方向において重複する」とは、搬送方向Ｙの位置が同じであることに相当する。
第２ノズルチップ６２におけるノズル群５５Ｏｐの搬送方向Ｙの位置と、第３ノズルチップ６３におけるノズル群５５Ｗ，５５Ｃ，５５Ｍ，５５Ｙ，５５Ｋの搬送方向Ｙの位置とは同じであり、第２ノズルチップ６２におけるノズル群５５Ｏｐと、第３ノズルチップ６３におけるノズル群５５Ｗ，５５Ｃ，５５Ｍ，５５Ｙ，５５Ｋとは、ノズルＮｚの並び方向において重複する。
さらに、走査方向Ｘ側から見た場合、第２ノズルチップ６２における実際に第２反応液ＯＳを記録するノズルＮＯＳと、第３ノズルチップ６３における実際に第１インクＦを記録するノズルＮＦとは、平面視で重なる。
【００７１】
図９に示すヘッドユニット６０は、図８に示すヘッドユニット６０を簡素化した模式図である。図９に示すヘッドユニット６０では、実際にインクＦ，Ｓまたは反応液ＯＦ，ＯＳを記録するノズルＮｚのみが図示され、インクＦ，Ｓまたは反応液ＯＦ，ＯＳを記録しないノズルＮｚの図示が省略されている。図９では、実際に第１インクＦを記録するノズルＮＦが白い丸で図示され、実際に第２インクＳを記録するノズルＮＳが黒い丸で図示され、実際に第１反応液ＯＦを記録するノズルＮＯＦが白い三角で図示され、実際に第２反応液ＯＳを記録するノズルＮＯＳが黒い三角で図示されている。
【００７２】
図９において、実際に第１インクＦを記録する複数のノズルＮＦで構成されるノズル群ＮＦＧは、図８におけるノズル群５５Ｗであり、「第１ノズル群」の一例である。実際に第２インクＳを記録する複数のノズルＮＳで構成されるノズル群ＮＳＧは、図８におけるノズル群５５Ｃ，５５Ｍ，５５Ｙ，５５Ｋであり、「第２ノズル群」の一例である。実際に第１反応液ＯＦを記録する複数のノズルＮＯＦで構成されるノズル群ＮＯＦＧは、及び、実際に第２反応液ＯＳを記録する複数のノズルＮＯＳで構成されるノズル群ＮＯＳＧは、図８におけるノズル群５５Ｏｐであり、「第３ノズル群」の一例である。
【００７３】
図９に示すように、ヘッドユニット６０は、実際に第１インクＦを記録する複数のノズルＮＦで構成されるノズル群ＮＦＧと、実際に第２インクＳを記録する複数のノズルＮＳで構成されるノズル群ＮＳＧと、実際に第１反応液ＯＦを記録する複数のノズルＮＯＦで構成されるノズル群ＮＯＦＧと、実際に第２反応液ＯＳを記録する複数のノズルＮＯＳで構成されるノズル群ＮＯＳＧとを有する。
換言すれば、ヘッドユニット６０は、第１インクを記録するノズルＮＦが並んだノズル群ＮＦＧと、第２インクＳを記録するノズルＮＳが並んだノズル群ＮＳＧと、第１インクＦ及び第２インクＳに作用する反応液ＯＦ，ＯＳを記録するノズルＮＯＦ，ＮＯＳが並んだノズル群ＮＯＦＧ，ＮＯＳＧと、を有する。
ノズル群ＮＦＧ及びノズル群ＮＳＧは走査方向Ｘの一方側に配置され、ノズル群ＮＯＦＧ及びノズル群ＮＯＳＧは走査方向Ｘの他方側に配置されている。ノズル群ＮＦＧは、ノズル群ＮＳＧに対して搬送方向Ｙの上流側に配置されている。ノズル群ＮＯＦＧはノズル群ＮＯＳＧに対して搬送方向Ｙの上流側に配置されている。
【００７４】
ノズル群ＮＦＧの搬送方向Ｙの位置と、ノズル群ＮＯＳＧの搬送方向Ｙの位置とは同じであり、ノズル群ＮＦＧとノズル群ＮＯＳＧとは、ノズルＮｚの並び方向において重複する。
ヘッドユニット６０は、ノズル群ＮＦＧとノズル群ＮＯＳＧとがノズルＮｚの並び方向において重複する部位６７と、部位６７より搬送方向Ｙの上流側においてノズル群ＮＯＦＧ群が設けられた部位６６と、部位６７より搬送方向Ｙの下流側においてノズル群ＮＳＧが設けられた部位６８と、を有する。
なお、部位６７は「重複部」の一例であり、部位６６は「上流側非重複部」の一例であり、部位６８は「下流側非重複部」の一例である。
換言すれば、ヘッドユニット６０は、ノズル群ＮＦＧ及びノズル群ＮＯＳＧがノズルＮｚの並び方向において重複する重複部（部位６７）と、部位６７より搬送方向Ｙの上流側においてノズル群ＮＯＦＧが設けられた上流側非重複部（部位６６）と、部位６７より搬送方向Ｙの下流側においてノズル群ＮＳＧが設けられた下流側非重複部（部位６８）と、を有する。
【００７５】
図１０に示すように、本実施形態に係る記録装置の記録方法は、１回目のパス動作によって記録領域Ｒ１に第１反応液ＯＦを記録する工程（ステップＳ２１）と、媒体Ｍを搬送方向Ｙに搬送する工程（ステップＳ２２）と、２回目のパス動作によって記録領域Ｒ１に第１インクＦ及び第２反応液ＯＳを記録する工程（ステップＳ２３）と、媒体Ｍを搬送方向Ｙに搬送する工程（ステップＳ２４）と、３回目のパス動作によって記録領域Ｒ１に第２インクＳを記録する工程（ステップＳ２５）と、媒体Ｍを搬送方向Ｙに搬送する工程（ステップＳ２６）と、を備える。
なお、ステップＳ２１は、「第１パス動作で、上流側非重複部から反応液を記録して媒体上に第１層を形成する工程」の一例である。ステップＳ２３は、「第２パス動作で、重複部から第１液体及び反応液を記録して第１層上に第２層を形成する工程」の一例である。ステップＳ２５は、「第３パス動作で、下流側非重複部から第２液体を記録して第２層上に第３層を形成する工程」の一例である。
【００７６】
図１１に示すように、ステップＳ２１では、１回目のパス動作が実施され、制御ユニット９０は、記録領域Ｒ１に対して、部位６６のノズルＮＯＦから第１反応液ＯＦが記録されるように、ヘッドユニット６０を制御する。すると、図１２において符号Ｆ１１で示される図に示すように、第１反応液ＯＦで構成される第１層１Ａが、記録領域Ｒ１に形成される。
すなわち、ステップＳ２１は、第１パス動作で部位６６から第１反応液ＯＦを記録して媒体Ｍ上に第１層１Ａを形成する工程である。
ステップＳ２１では、以降の工程（ステップＳ２３）で記録される第１インクＦの顔料において適正に凝集反応が生じるように、第１反応液ＯＦの液量が設定されている。
【００７７】
続いて、ステップＳ２２において、媒体Ｍを搬送方向Ｙに搬送する副走査が実施された後、ステップＳ２３が実施される。なお、１回の副走査における媒体Ｍの移動量は長さＬＡである。
【００７８】
図１１に示すように、ステップＳ２３では、２回目のパス動作が実施され、制御ユニット９０は、記録領域Ｒ１に対して部位６７のノズルＮＦ，ＮＯＳから第１インクＦ及び第２反応液ＯＳが記録され、記録領域Ｒ２に対して部位６６のノズルＮＯＦから第１反応液ＯＦが記録されるように、ヘッドユニット６０を制御する。すると、図１２において符号Ｆ１２で示される図に示すように、第１インクＦ及び第２反応液ＯＳで構成される第２層２Ａが、記録領域Ｒ１における第１層１Ａの上に形成される。
すなわち、ステップＳ２３は、第２パス動作で部位６７から第１インクＦ及び第２反応液ＯＳを記録して第１層１Ａ上に第２層２Ａを形成する工程である。
ステップＳ２３では、第１反応液ＯＦが事前に記録された記録領域Ｒ１（第１層１Ａ）に、第１インクＦが記録されるので、第１インクＦは第１層１Ａ上を良好に濡れ広がり、第１インクＦの顔料は適正に凝集し、目標位置に付着する。さらに、第１インクＦと共に第２反応液ＯＳが記録されるので、第２反応液ＯＳが記録領域Ｒ１に記録される。
また、ステップＳ２３では、以降の工程（ステップＳ２５）で記録される第２インクＳの顔料において適正に凝集反応が生じるように、第２反応液ＯＳの液量が設定されている。
【００７９】
続いて、ステップＳ２４において、媒体Ｍを搬送方向Ｙに搬送する副走査が実施された後、ステップＳ２５が実施される。
【００８０】
図１１に示すように、ステップＳ２５では、３回目のパス動作が実施され、制御ユニット９０は、記録領域Ｒ１に対して部位６８のノズルＮＳから第２インクＳが記録され、記録領域Ｒ２に対して部位６７のノズルＮＦ，ＮＯＳから第１インクＦ及び第２反応液ＯＳが記録され、記録領域Ｒ３に対して部位６６のノズルＮＯＦから第１反応液ＯＦが記録されるように、ヘッドユニット６０を制御する。すると、図１２において符号Ｆ１３で示される図に示すように、第２インクＳで構成される第３層３Ａが、記録領域Ｒ１における第２層２Ａの上に形成される。
すなわち、ステップＳ２５は、第３パス動作で、部位６８から第２インクＳを記録して記録領域Ｒ１における第２層２Ａ上に第３層３Ａを形成する工程である。
ステップＳ２５では、第２インクＳは、第１インクＦを含む第２層２Ａ上を良好に濡れ広がる。さらに、第２反応液ＯＳが事前に記録された記録領域Ｒ１に、第２インクＳが記録されるので、第２インクＳの顔料は適正に凝集し、目標位置に付着する。
【００８１】
続いて、ステップＳ２６において、媒体Ｍを搬送方向Ｙに搬送する副走査が実施された後、次のパス動作（主走査）が実施される。
【００８２】
このように、上述した３回の主走査（１回目のパス動作〜３回目のパス動作）によって記録領域Ｒ１（媒体Ｍ）に対して、第１反応液ＯＦで構成される第１層１Ａと、第１インクＦ及び第２反応液ＯＳで構成される第２層２Ａと、第２インクＳで構成される第３層３Ａと、を順に形成する。
記録領域Ｒ１以外の他の記録領域Ｒ（記録領域Ｒ２，Ｒ３，Ｒ４など）に対しても、記録領域Ｒ１と同様に、３回の主走査によって、第１層１Ａと第２層２Ａと第３層３Ａとを順に形成する。
【００８３】
記録領域Ｒ１以外の他の記録領域Ｒ（記録領域Ｒ２，Ｒ３，Ｒ４など）に対して、３回の主走査によって、第１層１Ａと第２層２Ａと第３層３Ａとを順に形成した後、加熱部８による加熱処理を施す。
加熱部８による加熱処理を施すと、第２層２Ａにおける第１インクＦの樹脂成分が溶解し、第１インクＦの顔料を含む樹脂層が形成され、第１インクＦの顔料が媒体Ｍに定着する。その結果、第１インクＦの顔料を含む樹脂層によって、白色の背景画像ＢＧが形成される。さらに、第３層３Ａにおける第２インクＳの樹脂成分が溶解し、第２インクＳの顔料を含む樹脂層が形成され、第２インクＳの顔料が媒体Ｍに定着する。その結果、第２インクＳの顔料を含む樹脂層によって、フルカラーの画像ＦＣが形成される。
このように、加熱部８による加熱処理によって、透明な媒体Ｍの上に、白色の背景画像ＢＧとフルカラーの画像ＦＣとを順に形成する。
【００８４】
以上述べたように、本実施形態に係る記録装置の記録方法は、ステップＳ２１において第１反応液ＯＦを記録し、ステップＳ２３において第１インクＦ及び第２反応液ＯＳを記録し、ステップＳ２５において第２インクＳを記録し、媒体Ｍ上に第１層１Ａと第２層２Ａと第３層３Ａとを順に形成する。
ステップＳ２３において第１インクＦと第２反応液ＯＳとを同時に記録するので、第１インクＦと第２反応液ＯＳとを別々に記録する場合と比べて、本実施形態に係る記録装置の生産性を高めることができる。
【００８５】
（実施形態３）
図１３は、図８に対応する図であり、実施形態３に係る記録装置が備えるヘッドユニットのノズルの配置状態を示す模式図である。図１４は、図９に対応する図であり、本実施形態に係る記録装置が備えるヘッドユニットのノズルの配置状態を示す他の模式図である。図１５は、本実施形態に係る記録装置の記録方法を示す工程フローである。図１６は、図１１に対応する図であり、本実施形態に係る記録装置の記録方法の説明図である。図１７は、図１２に対応する図であり、図１５に示す主要な工程を経た後の媒体Ｍの状態を示す概略断面図である。
図１７において符号Ｆ２１で示される図は、１回目のパス動作（ステップＳ３１（図１５参照））を実施した後の媒体Ｍの状態を示す概略断面図である。図１７において符号Ｆ２２で示される図は、２回目のパス動作（ステップＳ３３（図１５参照））を実施した後の媒体Ｍの状態を示す概略断面図である。図１７において符号Ｆ２３で示される図は、３回目のパス動作（ステップＳ３５（図１５参照））を実施した後の媒体Ｍの状態を示す概略断面図である。図１７において符号Ｆ２４で示される図は、４回目のパス動作（ステップＳ３７（図１５参照））を実施した後の媒体Ｍの状態を示す概略断面図である。図１７において符号Ｆ２５で示される図は、５回目のパス動作（ステップＳ３９（図１５参照））を実施した後の媒体Ｍの状態を示す概略断面図である。
さらに、図１７において符号Ｆ２６で示される図は、加熱部８による加熱処理を実施した後の媒体Ｍの状態を示す概略断面図である。
【００８６】
本実施形態に係る記録装置と実施形態２に係る記録装置１０とでは、ヘッドユニットの状態と、記録方法とが異なる。この点が、本実施形態に係る記録装置と、実施形態２に係る記録装置との主な相違点である。
以下、図１３〜図１７を参照し、本実施形態に係る記録装置の概要を、実施形態１及び実施形態２との相違点を中心に説明する。また、実施形態１及び実施形態２と同一の構成部位については、同一の符号を附し、重複する説明を省略する。
【００８７】
本実施形態に係る記録装置は、最初に透明な媒体Ｍに対してシアン、マゼンタ、イエロー、ブラックの４色のインクＣ，Ｍ，ＹＥ，Ｋを記録し、透明な媒体Ｍにフルカラーの画像ＦＣ（図１７参照）を記録し、次にホワイトのインクＷを記録し、フルカラーの画像ＦＣの上に白色の背景画像ＢＧ（図１７参照）を記録し、最後にシアン、マゼンタ、イエロー、ブラックの４色のインクＣ，Ｍ，ＹＥ，Ｋを記録し、白色の背景画像ＢＧの上にフルカラーの画像ＦＣ（図１７参照）を記録する。
すなわち、本実施形態に係る記録装置は、透明な媒体Ｍの上に、フルカラーの画像ＦＣと、白色の背景画像ＢＧと、フルカラーの画像ＦＣとを順に記録する。その結果、透明な媒体Ｍの裏側、及び透明な媒体Ｍの表側の両方から、フルカラーの画像ＦＣを視認することができる。
【００８８】
図１３に示すように、本実施形態に係る記録装置が備えるヘッドユニット７０は、反応液Ｏｐ（反応液ＯＦ，ＯＳ）を記録する一つのノズルチップ６１（第１ノズルチップ６１）と、各色（ホワイト、シアン、マゼンタ、イエロー、ブラック）のインクＷ，Ｃ，Ｍ，ＹＥ，Ｋ（インクＦ，Ｓ）を記録する二つのノズルチップ６３，６４（第３ノズルチップ６３、第４ノズルチップ６４）とを有する。
すなわち、本実施形態に係るヘッドユニット７０は、実施形態２に係るヘッドユニット６０と比べて、反応液Ｏｐ（反応液ＯＦ，ＯＳ）を記録するノズルチップの数が一つ少ない。
【００８９】
第１ノズルチップ６１は、第３ノズルチップ６３に対して走査方向Ｘの他方側に配置されている。第１ノズルチップ６１は、実際に第１反応液ＯＦを記録するノズルＮＯＦと、実際に第２反応液ＯＳを記録するノズルＮＯＳと、反応液ＯＦ，ＯＳを記録しないノズルＮｚとを有する。
第３ノズルチップ６３と第４ノズルチップ６４とは搬送方向Ｙに沿って順に配置され、第３ノズルチップ６３は、第４ノズルチップ６４に対して搬送方向Ｙの上流側に配置される。ノズルチップ６３，６４は、走査方向Ｘにおける一方側に配置されている。
第３ノズルチップ６３と第４ノズルチップ６４とは、実際に第１インクＦを記録するノズルＮＦと、実際に第２インクＳを記録するノズルＮＳと、インクＦ，Ｓを記録しないノズルＮｚとを有する。
【００９０】
走査方向Ｘ側から見た場合、第１ノズルチップ６１における実際に第１反応液ＯＦを記録するノズルＮＯＦと、第３ノズルチップ６３における実際に第１インクＦを記録するノズルＮＦとは平面視で重なり、第１ノズルチップ６１における実際に第２反応液ＯＳを記録するノズルＮＯＳと、第３ノズルチップ６３における実際に第２インクＳを記録するノズルＮＳとは平面視で重なる。
【００９１】
図１４に示すヘッドユニット７０は、図１３に示すヘッドユニット７０を簡素化した模式図である。図１４に示すヘッドユニット７０では、実際にインクＦ，Ｓまたは反応液ＯＦ，ＯＳを記録するノズルＮｚのみが図示され、インクＦ，Ｓまたは反応液ＯＦ，ＯＳを記録しないノズルＮｚの図示が省略されている。図１４では、実際に第１インクＦを記録するノズルＮＦが白い丸で図示され、実際に第２インクＳを記録するノズルＮＦが黒い丸で図示され、実際に第１反応液ＯＦを記録するノズルＮＯＦが白い三角で図示され、実際に第２反応液ＯＳを記録するノズルＮＯＳが黒い三角で図示されている。
【００９２】
図１４に示すように、ヘッドユニット７０は、実際に第１インクＦを記録する複数のノズルＮＦで構成されるノズル群ＮＦＧと、実際に第２インクＳを記録する複数のノズルＮＳで構成される二つのノズル群ＮＳＧ１，ＮＳＧ２と、実際に第１反応液ＯＦを記録する複数のノズルＮＯＦで構成されるノズル群ＮＯＦＧと、実際に第２反応液ＯＳを記録する複数のノズルＮＯＳで構成されるノズル群ＮＯＳＧとを有する。
換言すれば、ヘッドユニット７０は、第１インクを記録するノズルＮＦが並んだノズル群ＮＦＧと、第２インクＳを記録するノズルＮＳが並んだノズル群ＮＳＧ１，ＮＳＧ２と、第１インクＦ及び第２インクＳに作用する反応液ＯＦ，ＯＳを記録するノズルＮＯＦ，ＮＯＳが並んだノズル群ＮＯＦＧ，ＮＯＳＧと、を有する。
ノズル群ＮＦＧ，ＮＳＧ１，ＮＳＧ２は走査方向Ｘの一方側に配置され、ノズル群ＮＯＦＧ，ＮＯＳＧは走査方向Ｘの他方側に配置されている。
ノズル群ＮＳＧ１は、ノズル群ＮＦＧに対して搬送方向Ｙの上流側に配置されている。ノズル群ＮＳＧ２は、ノズル群ＮＦＧに対して搬送方向Ｙの下流側に配置されている。ノズル群ＮＦＧは、ノズル群ＮＳＧ１とノズル群ＮＳＧ２との間に配置されている。
ノズル群ＮＯＦＧは、ノズル群ＮＯＳＧに対して搬送方向Ｙの下流側に配置されている。
なお、実際に第１インクＦを記録する複数のノズルＮＦで構成されるノズル群ＮＦＧは、「第１ノズル群」の一例である。実際に第２インクＳを記録する複数のノズルＮＳで構成される二つのノズル群ＮＳＧ１，ＮＳＧ２は、「第２ノズル群」の一例である。実際に第１反応液ＯＦを記録する複数のノズルＮＯＦで構成されるノズル群ＮＯＦＧ、及び、実際に第２反応液ＯＳを記録する複数のノズルＮＯＳで構成されるノズル群ＮＯＳＧは、「第３ノズル群」の一例である。
【００９３】
さらに、本願における「ノズルの並び方向において重複する」とは、搬送方向Ｙの位置が同じであることに相当する。
ノズル群ＮＯＦＧの搬送方向Ｙの位置は、ノズル群ＮＦＧの搬送方向Ｙの位置の一部と同じであり、ノズル群ＮＯＦＧ及びノズル群ＮＦＧはノズルＮｚの並び方向において重複する。ノズル群ＮＯＳＧの搬送方向Ｙの位置は、ノズル群ＮＳＧ１の搬送方向Ｙの位置の一部と同じであり、ノズル群ＮＯＳＧ及びノズル群ＮＳＧ１はノズルＮｚの並び方向において重複する。
【００９４】
ヘッドユニット７０は、ノズル群ＮＯＳＧがノズル群ＮＳＧ１とノズルＮｚの並び方向において重複する部位７５と、部位７５より搬送方向Ｙの下流側にノズル群ＮＳＧ１が設けられた部位７６と、ノズル群ＮＯＦＧがノズル群ＮＦＧとノズルＮｚの並び方向において重複する部位７７と、部位７７より搬送方向Ｙの下流側にノズル群ＮＦＧが設けられた部位７８と、部位７８より搬送方向Ｙの下流側にノズル群ＮＳＧ２が設けられた部位７９とを有する。また、部位７５と、部位７６と、部位７７と、部位７８と、部位７９とは、搬送方向Ｙに沿って順に配置される。
なお、部位７５と部位７７とは「重複部」の一例であり、部位７６と部位７８と部位７９とは「非重複部」の一例であり、
換言すれば、ヘッドユニット７０は、ノズル群ＮＯＦＧ，ＮＯＳＧがノズル群ＮＦＧまたはノズル群ＮＳＧとノズルＮｚの並び方向において重複する重複部（部位７５，７７）と、重複部（部位７５，７７）より搬送方向Ｙの下流側においてノズル群ＮＦＧまたはノズル群ＮＳＧが設けられた非重複部（部位７６，７８，７９）とを有する。
【００９５】
図１５に示すように、本実施形態に係る記録装置の記録方法は、１回目のパス動作によって記録領域Ｒ１に第２反応液ＯＳ及び第２インクＳを記録する工程（ステップＳ３１）と、媒体Ｍを搬送方向Ｙに搬送する工程（ステップＳ３２）と、２回目のパス動作によって記録領域Ｒ１に第２インクＳを記録する工程（ステップＳ３３）と、媒体Ｍを搬送方向Ｙに搬送する工程（ステップＳ３４）と、３回目のパス動作によって記録領域Ｒ１に第１反応液ＯＦ及び第１インクＦを記録する工程（ステップＳ３５）と、媒体Ｍを搬送方向Ｙに搬送する工程（ステップＳ３６）と、４回目のパス動作によって記録領域Ｒ１に第１インクＦを記録する工程（ステップＳ３７）と、媒体Ｍを搬送方向Ｙに搬送する工程（ステップＳ３８）と、５回目のパス動作によって記録領域Ｒ１に第２インクＳを記録する工程（ステップＳ３９）と、媒体Ｍを搬送方向Ｙに搬送する工程（ステップＳ４０）と、を備える。
なお、ステップＳ３１は、「第１パス動作で、重複部から第２液体及び反応液を記録して媒体上に第１層を形成する工程」の一例である。ステップＳ３３は、「第２パス動作で、非重複部から第２液体を記録して第１層上に第２層を形成する工程」の一例である。ステップＳ３５は、「第３パス動作で、重複部から第１液体及び反応液を記録して第２層上に第３層を形成する工程」の一例である。ステップＳ３７は、「第４パス動作で、非重複部から第１液体を記録して第３層上に第４層を形成する工程」の一例である。ステップＳ３９は、「第５パス動作で、非重複部から第２液体を記録して第４層上に第５層を形成する工程」の一例である。
【００９６】
図１６に示すように、ステップＳ３１では、１回目のパス動作が実施され、制御ユニット９０は、記録領域Ｒ１に対して、部位７５のノズルＮＳ，ＮＯＳから第２インクＳ及び第２反応液ＯＳが記録されるように、ヘッドユニット７０を制御する。すると、図１７において符号Ｆ２１で示される図に示すように、第２反応液ＯＳ及び第２インクＳで構成される第１層１Ｂが、記録領域Ｒ１に形成される。
すなわち、ステップＳ３１は、第１パス動作で、部位７５から第２インクＳ及び第２反応液ＯＳを記録して媒体Ｍ上に第１層１Ｂを形成する工程である。
第２インクＳは、第２反応液ＯＳと一緒に記録されるので、媒体Ｍ上を濡れ広がり、第２インクＳの顔料は適正に凝集し、目標位置に付着する。さらに、ステップＳ３１では、ステップＳ３１で記録される第２インクＳの顔料だけでなく、以降の工程（ステップＳ３３）で記録される第２インクＳの顔料に対しても、適正に凝集反応が生じるように、第２反応液ＯＳの液量が設定されている。
【００９７】
続いて、ステップＳ３２において、媒体Ｍを搬送方向Ｙに搬送する副走査が実施された後、ステップＳ３３が実施される。なお、１回の副走査における媒体Ｍの移動量は長さＬＢである。
【００９８】
図１６に示すように、ステップＳ３３では、２回目のパス動作が実施され、制御ユニット９０は、記録領域Ｒ１に対して、部位７６のノズルＮＳから第２インクＳが記録され、記録領域Ｒ２に対して部位７５のノズルＮＳ，ＮＯＳから第２インクＳ及び第２反応液ＯＳが記録されるように、ヘッドユニット７０を制御する。すると、図１７において符号Ｆ２２で示される図に示すように、第２インクＳで構成される第２層２Ｂが、記録領域Ｒ１における第１層１Ｂの上に形成される。
すなわち、ステップＳ３３は、第２パス動作で、部位７６から第２インクＳを記録して第１層１Ｂ上に第２層２Ｂを形成する工程である。
ステップＳ３３では、第２インクＳは、第２インクＳを含む第１層１Ｂ上を良好に濡れ広がる。第２反応液ＯＳが事前に記録された記録領域Ｒ１に、第２インクＳが記録されるので、第２インクＳの顔料は適正に凝集し、目標位置に付着する。
【００９９】
続いて、ステップＳ３４において、媒体Ｍを搬送方向Ｙに搬送する副走査が実施された後、ステップＳ３５が実施される。
【０１００】
図１６に示すように、ステップＳ３５では、３回目のパス動作が実施され、制御ユニット９０は、記録領域Ｒ１に対して部位７７のノズルＮＦ，ＮＯＦから第１インクＦ及び第１反応液ＯＦが記録され、記録領域Ｒ２に対して部位７６のノズルＮＳから第２インクＳが記録され、記録領域Ｒ３に対して部位７５のノズルＮＳ，ＮＯＳから第２インクＳ及び第２反応液ＯＳが記録されるように、ヘッドユニット７０を制御する。すると、図１７において符号Ｆ２３で示される図に示すように、第１インクＦ及び第１反応液ＯＦで構成される第３層３Ｂが、記録領域Ｒ１における第２層２Ｂの上に形成される。
すなわち、ステップＳ３５は、第３パス動作で、部位７７から第１インクＦ及び第１反応液ＯＦを記録して第２層２Ｂ上に第３層３Ｂを形成する工程である。
ステップＳ３５では、第１インクＦは、第２インクＳを含む第２層２Ｂ上を良好に濡れ広がる。第１反応液ＯＦと一緒に、第１インクＦが記録されるので、第１インクＦの顔料は適正に凝集し、目標位置に付着する。
また、ステップＳ３５では、ステップＳ３５で記録される第１インクＦの顔料だけでなく、以降の工程（ステップＳ３７）で記録される第１インクＦの顔料、並びに、以降の工程（ステップＳ３９）で記録される第２インクＳの顔料に対して、適正に凝集反応が生じるように、第１反応液ＯＦ（反応液Ｏｐ）の液量が設定されている。
【０１０１】
続いて、ステップＳ３６において、媒体Ｍを搬送方向Ｙに搬送する副走査が実施された後、ステップＳ３７が実施される。
【０１０２】
図１６に示すように、ステップＳ３７では、４回目のパス動作が実施され、制御ユニット９０は、記録領域Ｒ１に対して部位７８のノズルＮＦから第１インクＦが記録され、記録領域Ｒ２に対して部位７７のノズルＮＦ，ＮＯＦから第１インクＦ及び第１反応液ＯＦが記録され、記録領域Ｒ３に対して部位７６のノズルＮＳから第２インクＳが記録され、記録領域Ｒ４に対して部位７５のノズルＮＳ，ＮＯＳから第２インクＳ及び第２反応液ＯＳが記録されるように、ヘッドユニット７０を制御する。すると、図１７において符号Ｆ２４で示される図に示すように、第１インクＦで構成される第４層４Ｂが、記録領域Ｒ１における第３層３Ｂの上に形成される。
すなわち、ステップＳ３７は、第４パス動作で、部位７８から第１インクＦを記録して第３層３Ｂ上に第４層４Ｂを形成する工程である。
ステップＳ３７では、第１インクＦは、第１インクＦを含む第３層３Ｂ上を良好に濡れ広がる。第１反応液ＯＦ（反応液Ｏｐ）が事前に記録された記録領域Ｒ１上に、第１インクＦが記録されるので、第１インクＦの顔料は適正に凝集し、目標位置に付着する。
【０１０３】
続いて、ステップＳ３８において、媒体Ｍを搬送方向Ｙに搬送する副走査が実施された後、ステップＳ３９が実施される。
【０１０４】
図１６に示すように、ステップＳ３９では、５回目のパス動作が実施され、制御ユニット９０は、記録領域Ｒ１に対して部位７９のノズルＮＳから第２インクＳが記録され、記録領域Ｒ２に対して部位７８のノズルＮＦから第１インクＦが記録され、記録領域Ｒ３に対して部位７７のノズルＮＦ，ＮＯＦから第１インクＦ及び第１反応液ＯＦが記録され、記録領域Ｒ４に対して部位７６のノズルＮＳから第２インクＳが記録され、記録領域Ｒ５に対して部位７５のノズルＮＳ，ＮＯＳから第２インクＳ及び第２反応液ＯＳが記録されるように、ヘッドユニット７０を制御する。すると、図１７において符号Ｆ２５で示される図に示すように、第２インクＳで構成される第５層５Ｂが、記録領域Ｒ１における第４層４Ｂの上に形成される。
すなわち、ステップＳ３９は、第５パス動作で、部位７９から第２インクＳを記録して第４層４Ｂ上に第５層５Ｂを形成する工程である。
ステップＳ３９では、第２インクＳは、第１インクＦを含む第４層４Ｂ上を良好に濡れ広がる。第１反応液ＯＦ（反応液Ｏｐ）が事前に記録された記録領域Ｒ１上に、第２インクＳが記録されるので、第２インクＳの顔料は適正に凝集し、目標位置に付着する。
【０１０５】
続いて、ステップＳ４０において、媒体Ｍを搬送方向Ｙに搬送する副走査が実施された後、次のパス動作（主走査）が実施される。
【０１０６】
このように、上述した５回の主走査（１回目のパス動作〜５回目のパス動作）によって記録領域Ｒ１（媒体Ｍ）に対して、第２インクＳ及び第２反応液ＯＳで構成される第１層１Ｂと、第２インクＳで構成される第２層２Ｂと、第１インクＦ及び第１反応液ＯＦで構成される第３層３Ｂと、第１インクＦで構成される第４層４Ｂと、第２インクＳで構成される第５層５Ｂと、を順に形成する。
記録領域Ｒ１以外の他の記録領域Ｒ（記録領域Ｒ２，Ｒ３，Ｒ４など）に対しても、記録領域Ｒ１と同様に、５回の主走査によって、第１層１Ｂと第２層２Ｂと第３層３Ｂと第４層４Ｂと第５層５Ｂとを順に形成する。
【０１０７】
記録領域Ｒ１以外の他の記録領域Ｒ（記録領域Ｒ２，Ｒ３，Ｒ４など）に対して、５回の主走査によって、第１層１Ｂと第２層２Ｂと第３層３Ｂと第４層４Ｂと第５層５Ｂとを順に形成した後、加熱部８による加熱処理を施す。
加熱部８による加熱処理を施すと、第１層１Ｂ及び第２層２Ｂにおける第２インクＳの樹脂成分が溶解し、第２インクＳの顔料を含む樹脂層が形成され、第２インクＳの顔料が媒体Ｍに定着する。その結果、第２インクＳの顔料を含む樹脂層によって、フルカラーの画像ＦＣが形成される。
さらに、第３層３Ｂ及び第４層４Ｂにおける第１インクＦの樹脂成分が溶解し、第１インクＦの顔料を含む樹脂層が形成され、第１インクＦの顔料が媒体Ｍに定着する。その結果、第１インクＦの顔料を含む樹脂層によって、背景画像ＢＧが形成される。
さらに、第５層５Ｂにおける第２インクＳの樹脂成分が溶解し、第２インクＳの顔料を含む樹脂層が形成され、第２インクＳの顔料が媒体Ｍに定着する。その結果、第２インクＳの顔料を含む樹脂層によって、フルカラーの画像ＦＣが形成される。
このように、加熱部８による加熱処理によって、透明な媒体Ｍの上に、フルカラーの画像ＦＣと白色の背景画像ＢＧとフルカラーの画像ＦＣとを順に形成する。
【０１０８】
以上述べたように、本実施形態に係る記録装置の記録方法は、ステップＳ３１において第２インクＳ及び第２反応液ＯＳを記録し、ステップＳ３３において第２インクＳを記録し、ステップＳ３５において第１インクＦ及び第１反応液ＯＦを記録し、ステップＳ３７において第１インクＦを記録し、ステップＳ３９において第２インクＳを記録し、媒体Ｍ上に、第１層１Ｂと第２層２Ｂと第３層３Ｂと第４層４Ｂと第５層５Ｂとを順に形成する。
ステップＳ３１，Ｓ３５において、インクＦ，Ｓと反応液ＯＦ，ＯＳとを同時に記録するので、インクＦ，Ｓと反応液ＯＦ，ＯＳとを別々に記録する場合と比べて、本実施形態に係る記録装置の生産性を高めることができる。
【０１０９】
本発明は、上記実施形態に限られるものではなく、請求の範囲及び明細書全体から読み取れる発明の要旨あるいは思想に反しない範囲で適宜変更可能であり、上記実施形態以外にも様々な変形例が考えられる。以下、変形例を挙げて説明する。
【０１１０】
（変形例１）
上述した実施形態は、ヘッドユニット５０，６０，７０が走査方向Ｘ（媒体Ｍの幅方向）に移動しながらインクＣ，Ｍ，ＹＥ，Ｋを記録するシリアルヘッド方式の記録装置であったが、ヘッドユニット５０，６０，７０が、走査方向Ｘ（媒体Ｍの幅方向）に延在して配置され、固定された状態でインクＣ，Ｍ，ＹＥ，Ｋを記録するラインヘッド方式の記録装置であってもよい。
【０１１１】
（変形例２）
上述した実施形態１は、ステップＳ１１及びステップＳ１３において、媒体Ｍに第１インク（ホワイトのインクＷ）を記録し、白色の背景画像ＢＧを作成した。ステップＳ１１だけで、要求される濃度が得られるのであれば、ステップＳ１３を省略してもよい。
さらに、ステップＳ１５及びステップＳ１７において、媒体Ｍに第２インクＳ（インクＣ，Ｍ，ＹＥ，Ｋ）を記録し、フルカラーの画像ＦＣを作成した。ステップＳ１５だけで、要求される濃度が得られるのであれば、ステップＳ１７を省略してもよい。
【０１１２】
以下に、上述した実施形態から導き出される内容を記載する。
【０１１３】
本願の記録装置は、第１液体を記録するノズルが並んだ第１ノズル群と、第２液体を記録するノズルが並んだ第２ノズル群と、前記第１液体及び前記第２液体に作用する反応液を記録するノズルが並んだ第３ノズル群と、が前記ノズルの並び方向において重複する記録部と、媒体を前記記録部に対して、相対的に搬送方向へ搬送する搬送部と、前記記録部を前記媒体に対して、前記搬送方向と交差する走査方向へ相対的に走査する走査部と、前記記録部を前記媒体に対して相対的に走査する走査動作中に、前記ノズルから前記第１液体、前記第２液体、及び前記反応液の少なくとも一つを前記媒体に記録するパス動作と、前記記録部を前記媒体に対して相対移動する搬送動作とを繰り返すように、前記記録部、前記搬送部、及び前記走査部を制御する制御部と、を備える記録装置であって、前記制御部は、第１パス動作で、前記第１液体と前記反応液とを記録して前記媒体上に第１層を形成し、前記第１パス動作より後の第２パス動作で、前記第１液体を記録して前記第１層上に第２層を形成し、前記第２パス動作より後の第３パス動作で、前記第２液体と前記反応液とを記録して前記第２層上に第３層を形成し、前記第３パス動作より後の第４パス動作で、前記第２液体を記録して前記第３層上に第４層を形成することを特徴とする。
【０１１４】
本願の記録装置は、第１パス動作で第１液体と反応液とを記録し、第２パス動作で第１液体を記録し、第３パス動作で第２液体と反応液とを記録し、第４パス動作で第２液体を記録する。すなわち、第１パス動作及び第３パス動作において、反応液は液体（例えば、インク）と一緒に記録されるので、反応液と液体とが別々に記録される場合と比べて、記録装置の生産性を高めることができる。
【０１１５】
本願の記録装置は、第１液体を記録するノズルが並んだ第１ノズル群と、第２液体を記録するノズルが並んだ第２ノズル群と、前記第１液体及び前記第２液体に作用する反応液を記録するノズルが並んだ第３ノズル群と、を有する記録部と、媒体を前記記録部に対して、相対的に搬送方向へ搬送する搬送部と、前記記録部を前記媒体に対して、前記搬送方向と交差する走査方向へ相対的に走査する走査部と、前記記録部を前記媒体に対して相対的に走査する走査動作中に、前記ノズルから前記第１液体、前記第２液体、及び前記反応液の少なくとも一つを前記媒体に記録するパス動作と、前記記録部を前記媒体に対して相対移動する搬送動作とを繰り返すように、前記記録部、前記搬送部、及び前記走査部を制御する制御部と、を備える記録装置であって、前記記録部は、前記第１ノズル群及び前記第３ノズル群が前記ノズルの並び方向において重複する重複部と、前記重複部より前記搬送方向の上流側において前記第３ノズル群が設けられた上流側非重複部と、前記重複部より前記搬送方向の下流側において前記第２ノズル群が設けられた下流側非重複部と、を有し、前記制御部は、第１パス動作で、前記上流側非重複部から前記反応液を記録して前記媒体上に第１層を形成し、前記第１パス動作より後の第２パス動作で、前記重複部から前記第１液体及び前記反応液を記録して前記第１層上に第２層を形成し、前記第２パス動作より後の第３パス動作で、前記下流側非重複部から前記第２液体を記録して前記第２層上に第３層を形成することを特徴とする。
【０１１６】
本願の記録装置は、第１パス動作で上流側非重複部から反応液を記録し、第２パス動作で重複部から第１液体及び反応液を記録し、第３パス動作で下流側非重複部から第２液体を記録する。第２パス動作において、反応液は液体と一緒に記録されるので、反応液と液体とが別々に記録される場合と比べて、記録装置の生産性を高めることができる。
【０１１７】
本願の記録装置は、第１液体を記録するノズルが並んだ第１ノズル群と、第２液体を記録するノズルが並んだ第２ノズル群と、前記第１液体及び前記第２液体に作用する反応液を記録するノズルが並んだ第３ノズル群と、を有する記録部と、媒体を前記記録部に対して、相対的に搬送方向へ搬送する搬送部と、前記記録部を前記媒体に対して、前記搬送方向と交差する走査方向へ相対的に走査する走査部と、前記記録部を前記媒体に対して相対的に走査する走査動作中に、前記ノズルから前記第１液体、前記第２液体、及び前記反応液の少なくとも一つを前記媒体に記録するパス動作と、前記記録部を前記媒体に対して相対移動する搬送動作とを繰り返すように、前記記録部、前記搬送部、及び前記走査部を制御する制御部と、を備える記録装置であって、前記記録部は、前記第３ノズル群が前記第１ノズル群または前記第２ノズル群と前記ノズルの並び方向において重複する重複部と、前記重複部より前記搬送方向の下流側において前記第１ノズル群または前記第２ノズル群が設けられた非重複部と、を有し、前記制御部は、第１パス動作で、前記重複部から前記第２液体及び前記反応液を記録して前記媒体上に第１層を形成し、前記第１パス動作より後の第２パス動作で、前記非重複部から前記第２液体を記録して前記第１層上に第２層を形成し、前記第２パス動作より後の第３パス動作で、前記重複部から前記第１液体及び前記反応液を記録して前記第２層上に第３層を形成し、前記第３パス動作より後の第４パス動作で、前記非重複部から前記第１液体を記録して前記第３層上に第４層を形成し、前記第４パス動作より後の第５パス動作で、前記非重複部から前記第２液体を記録して前記第４層上に第５層を形成することを特徴とする。
【０１１８】
本願の記録装置は、第１パス動作で重複部から第２液体及び反応液を記録し、第２パス動作で非重複部から第２液体を記録し、第３パス動作で重複部から第１液体及び反応液を記録し、第４パス動作で非重複部から第１液体を記録し、第５パス動作で非重複部から第２液体を記録する。第１パス動作及び第３パス動作において、反応液は液体と一緒に記録されるので、反応液と液体とが別々に記録される場合と比べて、記録装置の生産性を高めることができる。
【０１１９】
本願の記録装置では、前記第１液体は白インクであり、前記第２液体はカラーインクであることが好ましい。
【０１２０】
第１液体を白インクとし第２液体をカラーインクとし、第１パス動作で第１液体と反応液とを記録し、第２パス動作で第１液体を記録し、第３パス動作で第２液体と反応液とを記録し、第４パス動作で第２液体を記録する場合、媒体に対して、白インクの画像（白色の画像）と、カラーインクの画像（フルカラーの画像）とを順に形成することができる。
第１液体を白インクとし第２液体をカラーインクとし、第１パス動作で上流側非重複部から反応液を記録し、第２パス動作で重複部から第１液体及び反応液を記録し、第３パス動作で下流側非重複部から第２液体を記録する場合、媒体に対して、白色の画像と、フルカラーの画像とを順に形成することができる。
フルカラーの画像は、白色の画像の上に形成されるので、白色の画像の上に形成されない場合と比べて、フルカラーの画像の視認性を高めることができる。例えば、媒体が透明である場合であっても、ユーザーはフルカラーの画像を良好に視認することができる。
【０１２１】
第１液体を白インクとし第２液体をカラーインクとし、第１パス動作で重複部から第２液体及び反応液を記録し、第２パス動作で非重複部から第２液体を記録し、第３パス動作で重複部から第１液体及び反応液を記録し、第４パス動作で非重複部から第１液体を記録し、第５パス動作で非重複部から第２液体を記録する場合、媒体に対して、フルカラーの画像と、白色の画像と、フルカラーの画像とを順に形成することができる。
例えば、透明な媒体の表面に対して、フルカラーの画像と、白色の背景画像と、フルカラーの画像とが順に形成されると、ユーザーは、媒体の表面側に加えて、媒体の裏面側からもフルカラーの画像を良好に視認することができる。
【０１２２】
本願の記録装置の記録方法は、第１液体を記録するノズルが並んだ第１ノズル群と、第２液体を記録するノズルが並んだ第２ノズル群と、前記第１液体及び前記第２液体に作用する反応液を記録するノズルが並んだ第３ノズル群と、が前記ノズルの並び方向において重複する記録部と、媒体を前記記録部に対して、相対的に搬送方向へ搬送する搬送部と、前記記録部を前記媒体に対して、前記搬送方向と交差する走査方向へ相対的に走査する走査部と、を備え、前記記録部を前記媒体に対して相対的に走査する走査動作中に、前記ノズルから前記第１液体、前記第２液体、及び前記反応液の少なくとも一つを前記媒体に記録するパス動作と、前記記録部を前記媒体に対して相対移動する搬送動作とを繰り返すことで記録を行う記録装置の記録方法であって、第１パス動作で、前記第１液体と前記反応液とを記録して前記媒体上に第１層を形成する工程と、前記第１パス動作より後の第２パス動作で、前記第１液体を記録して前記第１層上に第２層を形成する工程と、前記第２パス動作より後の第３パス動作で、前記第２液体と前記反応液とを記録して前記第２層上に第３層を形成する工程と、前記第３パス動作より後の第４パス動作で、前記第２液体を記録して前記第３層上に第４層を形成する工程と、を備えることを特徴とする。
【０１２３】
本願の記録装置の記録方法は、第１パス動作で第１液体と反応液とを記録し、第２パス動作で第１液体を記録し、第３パス動作で第２液体と反応液とを記録し、第４パス動作で第２液体を記録する。すなわち、第１パス動作及び第３パス動作において、反応液は液体と一緒に記録されるので、反応液と液体とが別々に記録される場合と比べて、記録装置の生産性を高めることができる。
【０１２４】
本願の記録装置の記録方法は、第１液体を記録するノズルが並んだ第１ノズル群と、第２液体を記録するノズルが並んだ第２ノズル群と、前記第１液体及び前記第２液体に作用する反応液を記録するノズルが並んだ第３ノズル群と、を有する記録部と、媒体を前記記録部に対して、相対的に搬送方向へ搬送する搬送部と、前記記録部を前記媒体に対して、前記搬送方向と交差する走査方向へ相対的に走査する走査部と、を備え、前記記録部は、前記第１ノズル群及び前記第３ノズル群が前記ノズルの並び方向において重複する重複部と、前記重複部より前記搬送方向の上流側において前記第３ノズル群が設けられた上流側非重複部と、前記重複部より前記搬送方向の下流側において前記第２ノズル群が設けられた下流側非重複部と、を有し、前記記録部を前記媒体に対して相対的に走査する走査動作中に、前記ノズルから前記第１液体、前記第２液体、及び前記反応液の少なくとも一つを前記媒体に記録するパス動作と、前記記録部を前記媒体に対して相対移動する搬送動作とを繰り返すことで記録を行う記録装置の記録方法であって、第１パス動作で、前記上流側非重複部から前記反応液を記録して前記媒体上に第１層を形成する工程と、前記第１パス動作より後の第２パス動作で、前記重複部から前記第１液体及び前記反応液を記録して前記第１層上に第２層を形成する工程と、前記第２パス動作より後の第３パス動作で、前記下流側非重複部から前記第２液体を記録して前記第２層上に第３層を形成する工程と、を備えることを特徴とする。
【０１２５】
本願の記録装置の記録方法は、第１パス動作で上流側非重複部から反応液を記録し、第２パス動作で重複部から第１液体及び反応液を記録し、第３パス動作で下流側非重複部から第２液体を記録する。第２パス動作において、反応液は液体と一緒に記録されるので、反応液と液体とが別々に記録される場合と比べて、記録装置の生産性を高めることができる。
【０１２６】
本願の記録装置の記録方法は、第１液体を記録するノズルが並んだ第１ノズル群と、第２液体を記録するノズルが並んだ第２ノズル群と、前記第１液体及び前記第２液体に作用する反応液を記録するノズルが並んだ第３ノズル群と、を有する記録部と、媒体を前記記録部に対して、相対的に搬送方向へ搬送する搬送部と、前記記録部を前記媒体に対して、前記搬送方向と交差する走査方向へ相対的に走査する走査部と、を備え、前記記録部は、前記第３ノズル群が前記第１ノズル群または前記第２ノズル群と前記ノズルの並び方向において重複する重複部と、前記重複部より前記搬送方向の下流側において前記第１ノズル群または前記第２ノズル群が設けられた非重複部と、を有し、前記記録部を前記媒体に対して相対的に走査する走査動作中に、前記ノズルから前記第１液体、前記第２液体、及び前記反応液の少なくとも一つを前記媒体に記録するパス動作と、前記記録部を前記媒体に対して相対移動する搬送動作とを繰り返すことで記録を行う記録装置の記録方法であって、第１パス動作で、前記重複部から前記第２液体及び前記反応液を記録して前記媒体上に第１層を形成する工程と、前記第１パス動作より後の第２パス動作で、前記非重複部から前記第２液体を記録して前記第１層上に第２層を形成する工程と、前記第２パス動作より後の第３パス動作で、前記重複部から前記第１液体及び前記反応液を記録して前記第２層上に第３層を形成する工程と、前記第３パス動作より後の第４パス動作で、前記非重複部から前記第１液体を記録して前記第３層上に第４層を形成する工程と、前記第４パス動作より後の第５パス動作で、前記非重複部から前記第２液体を記録して前記第４層上に第５層を形成する工程と、を備えることを特徴とする。
【０１２７】
本願の記録装置の記録方法は、第１パス動作で重複部から第２液体及び反応液を記録し、第２パス動作で非重複部から第２液体を記録し、第３パス動作で重複部から第１液体及び反応液を記録し、第４パス動作で非重複部から第１液体を記録し、第５パス動作で非重複部から第２液体を記録する。第１パス動作及び第３パス動作において、反応液は液体と一緒に記録されるので、反応液と液体とが別々に記録される場合と比べて、記録装置の生産性を高めることができる。
【符号の説明】
【０１２８】
８…加熱部、１０…記録装置、２０…移動部、３０…走査部、３１…ガイド軸、３２…キャリッジ、４０…副走査部、４１…繰出部、４２…支持部、４３…搬送ローラー、４４…巻取部、５０…ヘッドユニット、５１…第１ノズルチップ、５２…第２ノズルチップ、５５…ノズル群、９０…制御ユニット、９１…インターフェイス部、９２…ＣＰＵ、９３…メモリー。
【図１】
2019166760.tif 000003
【図２】
2019166760.tif 000004
【図３】
2019166760.tif 000005
【図４】
2019166760.tif 000006
【図５】
2019166760.tif 000007
【図６】
2019166760.tif 000008
【図７】
2019166760.tif 000009
【図８】
2019166760.tif 000010
【図９】
2019166760.tif 000011
【図１０】
2019166760.tif 000012
【図１１】
2019166760.tif 000013
【図１２】
2019166760.tif 000014
【図１３】
2019166760.tif 000015
【図１４】
2019166760.tif 000016
【図１５】
2019166760.tif 000017
【図１６】
2019166760.tif 000018
【図１７】
2019166760.tif 000019